(57)【要約】【課題】発信要求先のアクセスポイント装置が許容数の無線端末と無線通信している場合に十分な無線通信サービスの提供ができなかった。【解決手段】発信要求情報を受けたアクセスポイント装置で、発信側無線端末を含めた通信に必要な帯域量を示す発信側帯域データが無線端末のコーデック方式の変更をすべきか否かを判定するための基準となる帯域量を示す第一発信側閾値データを超えると、発信要求情報に付与されている符号化方式データをより使用帯域の少ない符号化方式データに変更し、着信要求情報を受けたアクセスポイント装置で、着信側帯域データが第一着信側閾値データを超えると、着信要求情報に付与されている符号化方式データをより使用帯域の少ない符号化方式データに変更し、かつ発信側及び着信側の無線端末の各コーデック部に変更された符号化方式データが示すコーデック方式を設定する。【選択図】図１
2007214811.tif 000002
【特許請求の範囲】
【請求項１】
コーデック部に設定された符号化方式データが示すコーデック方式を使用して、発信側及び着信側のアクセスポイント装置を介して相互に無線通信中の複数の無線端末と、前記無線通信を制御する呼制御装置と、同一のコーデック方式を使用して、着信側となる着信側無線端末と無線通信を行うべく、前記発信側のアクセスポイント装置に対し、新たに発信要求を行う発信側無線端末とを備える無線通信システムにおいて、
前記発信側無線端末は、
指定されたコーデック方式を示す符号化方式データを付与した発信要求情報を前記発信側のアクセスポイント装置に送信する発信側通信部を備え、
前記発信側のアクセスポイント装置は、
前記発信要求情報に付与されたコーデック方式の変更が必要か否かを判定するための基準となる帯域量を示す第一発信側閾値データを保持する記憶部と、
前記発信要求情報を受信すると、前記発信要求情報に付与された符号化方式データが示すコーデック方式及び前記複数の無線端末が使用しているコーデック方式に基づいて、前記発信側無線端末及び前記通信中の無線端末の無線通信に必要となる全帯域量を示す発信側帯域データを取得する発信側帯域取得部と、
前記発信側帯域データが前記第一発信側閾値データより大きいと、前記発信要求情報に付与された符号化方式データの変更により通信可と判定する発信側通信可否判定部と、
前記発信側通信可否判定部が前記発信要求情報に付与された符号化方式データの変更により通信可と判定すると、前記発信要求情報に付与された符号化方式データの変更を指示する変更指示データを更に付与した前記発信要求情報を前記呼制御装置に送信する発信側中継通信部とを備え、
前記呼制御装置は、
前記発信要求情報に変更指示データが付与されていると、コーデック方式の変更要と判定する変更要否判定部と、
前記変更要否判定部が変更要と判定すると、前記発信要求情報に付与された符号化方式データが示すコーデック方式よりも使用帯域量が少ないコーデック方式を示す符号化方式データを付与した着信要求情報を生成する変更制御部と、
前記生成された着信要求情報を前記着信側のアクセスポイント装置に送信する通信制御部とを備え、
前記着信側のアクセスポイント装置は、
前記着信要求情報に付与された符号化方式データの変更が必要か否かを判定するための基準となる帯域量を示す第一着信側閾値データを保持する記憶部と、
前記着信要求情報を受信すると、前記着信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す着信側帯域データを取得する着信側帯域取得部と、
前記着信側帯域データが前記第一着信側閾値データより小さいと、通信可と判定する着信側通信可否判定部と、
前記着信側通信可否判定部が通信可と判定すると、前記着信要求情報を前記着信側無線端末に送信する着信側中継通信部とを備え、
前記着信側無線端末は、
前記着信要求情報を受信すると、付与された符号化方式データが示すコーデック方式を自己のコーデック部に設定する着信側方式設定部と、
前記着信側方式設定部がコーデック方式を設定すると、設定されたコーデック方式を示す符号化方式データを付与した着信応答情報を前記発信側無線端末に送信する着信側通信部とを備え、
更に、前記発信側無線端末は、着信応答情報を受信すると、付与された符号方式データが示すコーデック方式を自己のコーデック部に設定する発信側方式設定部を備えることを特徴とする無線通信システム。
【請求項２】
前記着信側通信可否判定部は、前記着信側帯域データが前記第一着信側閾値データより大きいと、前記着信要求情報に付与された符号化方式データの変更により通信可と判定し、
前記着信側中継通信部は、前記着信側通信可否判定部が通信可と判定すると、前記着信要求情報に付与された符号化方式データの変更を指示する変更指示情報を前記呼制御装置に送信し、前記呼制御装置から、該符号化方式データを変更した着信要求情報を受信すると、該着信要求情報を前記着信側無線端末に送信することを特徴とする請求項１記載の無線通信システム。
【請求項３】
コーデック部に設定された符号化方式データが示すコーデック方式を使用して、発信側及び着信側のアクセスポイント装置を介して相互に無線通信中の複数の無線端末と、同一のコーデック方式を使用して、着信側無線端末と無線通信を行うべく、前記発信側のアクセスポイント装置に対し、発信要求を行う発信側無線端末とを備える無線通信システムにおいて、
前記発信側無線端末は、
指定されたコーデック方式を示す符号化方式データを付与した発信要求情報を前記発信側のアクセスポイント装置に送信する発信側通信部を備え、
前記発信側のアクセスポイント装置は、
前記発信要求情報に付与されたコーデック方式の変更が必要か否かを判定するための基準となる帯域量を示す第一発信側閾値データを保持する記憶部と、
前記発信要求情報を受信すると、前記発信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す発信側帯域データを取得する発信側帯域取得部と、
前記発信側帯域データが前記第一発信側閾値データより大きいと、前記発信要求情報に付与された符号化方式データの変更により通信可と判定する発信側通信可否判定部と、
前記発信側通信可否判定部が前記発信要求情報に付与された符号化方式データの変更により通信可と判定すると、前記符号化方式データの変更を指示する変更指示データを更に前記発信要求情報に付与する発信側中継通信部と、
前記発信要求情報に変更指示データが付与されていると、コーデック方式の変更要と判定する発信側変更要否判定部と、
前記発信側変更要否判定部が変更要と判定すると、前記発信要求情報に付与された符号化方式データが示すコーデック方式よりも使用帯域量が少ないコーデック方式を示す符号化方式データを付与した着信要求情報を生成する変更制御部と、
前記生成された着信要求情報を前記着信側のアクセスポイント装置に送信する発信側通信制御部とを備え、
前記着信側のアクセスポイント装置は、
前記着信要求情報に付与された符号化方式データの変更が必要か否かを判定するための基準となる帯域量を示す第一着信側閾値データを保持する記憶部と、
前記着信要求情報を受信すると、前記着信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す着信側帯域データを取得する着信側帯域取得部と、
前記着信側帯域データが前記第一着信側閾値データより小さいと、通信可と判定する着信側通信可否判定部と、
前記着信側通信可否判定部が通信可と判定すると、前記着信要求情報を前記着信側無線端末に送信する着信側通信制御部とを備え、
前記着信側無線端末は、
前記着信要求情報を受信すると、付与された符号化方式データが示すコーデック方式を自己のコーデック部に設定する着信側方式設定部と、
前記着信側方式設定部がコーデック方式を設定すると、設定されたコーデック方式を示す符号化方式データを付与した着信応答情報を前記発信側無線端末に送信する着信側通信部とを備え、
更に、前記発信側無線端末は、着信応答情報を受信すると、付与された符号方式データが示すコーデック方式を自己のコーデック部に設定する発信側方式設定部を備えることを特徴とする無線通信システム。
【請求項４】
前記着信側通信可否判定部は、前記着信側帯域データが前記第一着信側閾値データより大きいと、前記着信要求情報に付与された符号化方式データの変更により通信可と判定し、
前記着信側通信制御部は、前記着信側通信可否判定部が前記着信要求情報に付与された符号化方式データの変更により通信可と判定すると、前記着信要求情報に付与された符号化方式データの変更を指示する変更指示データを更に、前記着信要求情報に付与し、
前記着信要求情報に変更指示データが付与されていると、変更要と判定する着信側変更要否判定部と、
前記着信側変更要否判定部が変更要と判定すると、前記着信要求情報に付与された符号化方式データが示すコーデック方式よりも使用帯域量が少ないコーデック方式を示す符号化方式データを付与した着信要求情報を生成すると共に、該着信要求情報を前記着信側通信制御部に転送する着信側変更制御部とを備えることを特徴とする請求項３記載の無線通信システム。
【請求項５】
設定されたコーデック方式を使用する無線端末の通信を中継し、発信側無線端末と着信側無線端末間の新たな呼接続要求に関する処理を行うアクセスポイント装置において、
呼接続要求としての第一の信号を受信して、当該アクセスポイント装置の第一の通信量が第一の閾値を超えたか否かを判定する第一の判定部と、
前記第一の通信量が前記第一の閾値を超えたとき、前記着信者側無線端末に対して、前記発信側無線端末と前記着信側無線端末間のコーデック方式の変更に関わる第二の信号を送信する第一の送信部と、
前記着信側無線端末から前記発信側無線端末に対して、前記発信側無線端末と前記着信側無線端末間のコーデック方式が前記第二の信号に基づいて変更された第三の信号を中継する第一の中継部とを備えることを特徴とするアクセスポイント装置。
【請求項６】
前記第二の信号は、変更後のコーデック方式の設定を指示する信号であることを特徴とする請求項５記載のアクセスポイント装置。
【請求項７】
前記アクセスポイント装置は、前記発信側無線端末と無線回線にて接続される発信側アクセスポイント装置であり、
前記第一の信号は、発呼指示を示す信号であることを特徴とする請求項５記載のアクセスポイント装置。
【請求項８】
前記アクセスポイント装置は、前記着信側無線端末と無線回線にて接続される着信側アクセスポイント装置であり、
前記第一の信号は、着呼指示を示す信号であることを特徴とする請求項５記載のアクセスポイント装置。
【請求項９】
請求項５記載のアクセスポイント装置を備える無線通信システムにおいて、
前記アクセスポイント装置は、前記発信側無線端末と無線回線にて接続される発信側アクセスポイント装置であり、
更に、着信側アクセスポイント装置を備え、
前記着信側アクセスポイント装置は、
前記着信側無線端末と無線回線にて接続され、
前記第一の信号と前記第二の信号を前記着信側無線端末に中継する第二の中継部と、
前記着信側無線端末から前記発信側無線端末に対して、前記第三の信号を中継する第三の中継部とを備えることを特徴とする無線通信システム。
【請求項１０】
請求項５記載のアクセスポイント装置を備える無線通信システムにおいて、
更に、発信側アクセスポイント装置を備え、
前記発信側アクセスポイント装置は、
前記発信側無線端末と無線回線にて接続され、
前記第一の信号を中継する第二の中継部と、
前記着信側無線端末から前記発信側無線端末に対して、前記第三の信号を中継する第三の中継部とを備え、
前記アクセスポイント装置は、
前記着信側無線端末と無線回線にて接続される着信側アクセスポイント装置であり、第一の送信部は、前記第二の信号を前記着信側無線端末に送信することを特徴とする無線通信システム。
【請求項１１】
請求項５記載のアクセスポイント装置を備える無線通信システムにおいて、
前記アクセスポイント装置は、
前記発信側無線端末と無線回線にて接続される発信側アクセスポイント装置であり、
更に、呼制御装置と、着信側アクセスポイント装置を備え、
前記呼制御装置は、
前記第一の信号を制御する第一の制御部と、
前記第二の信号に基づいて、変更後のコーデック方式の設定を指示する第四の信号を送信する第二の送信部とを備え、
前記着信側アクセスポイント装置は、
前記着信側無線端末と無線回線にて接続され、
前記第一の信号と前記第四の信号を前記着信側無線端末に中継する第二の中継部と、
前記着信側無線端末から前記発信側無線端末に対して、前記第三の信号を中継する第三の中継部とを備えることを特徴とする無線通信システム。
【請求項１２】
請求項５記載のアクセスポイント装置を備える無線通信システムにおいて、
更に、発信側アクセスポイント装置を備え、
前記発信側アクセスポイント装置は、前記発信側無線端末と無線回線にて接続され、
前記第一の信号を中継する第二の中継部と、
前記着信側無線端末から前記発信側無線端末に対して、前記第三の信号を中継する第三の中継部とを備え、
前記呼制御装置は、
前記第一の信号を制御する第一の制御部と、
前記アクセスポイント装置から受信した前記第二の信号に基づいて、変更後のコーデック方式の設定を指示する第四の信号を送信する第二の送信部とを備え、
前記アクセスポイント装置は、
前記着信側無線端末と無線回線にて接続される着信側アクセスポイント装置であり、
前記第一の信号と第四の信号を前記着信側無線端末に中継する第三の中継部とを備えることを特徴とする無線通信システム。
【請求項１３】
設定されたコーデック方式を使用する無線端末の通信を中継し、発信側無線端末と着信側無線端末間の新たな呼接続要求に関する処理を行うアクセスポイント装置の通信方法において、
呼接続要求としての第一の信号を受信して、当該アクセスポイント装置の第一の通信量が第一の閾値を超えたか否かを判定する第一の判定ステップと、
前記第一の通信量が前記第一の閾値を超えたとき、前記着信者側無線端末に対して、前記発信側無線端末と前記着信側無線端末間のコーデック方式の変更に関わる第二の信号を送信する第一の送信ステップと、
前記着信側無線端末から前記発信側無線端末に対して、前記発信側無線端末と前記着信側無線端末間のコーデック方式が前記第二の信号に基づいて変更された第三の信号を中継する第一の中継ステップとを含むことを特徴とするアクセスポイント装置の通信方法。
【請求項１４】
請求項１３に記載のアクセスポイント装置の通信方法において、
第二の信号は、変更後のコーデック方式の設定を指示する信号であることを特徴とするアクセスポイント装置の通信方法。
【請求項１５】
請求項１３に記載のアクセスポイント装置の通信方法であって、前記アクセスポイント装置は、前記発信側無線端末と無線回線にて接続される発信側アクセスポイント装置であり、更に、前記着信側無線端末と無線回線にて接続される着信側アクセスポイント装置を備える無線通信システムの通信方法において、
前記着信側アクセスポイント装置は、
前記第一の信号と前記第二の信号を前記着信側無線端末に中継する第二の中継ステップと、
前記着信側無線端末から前記発信側無線端末に対して、前記第三の信号を中継する第三の中継ステップとを含むことを特徴とする無線通信システムの通信方法。
【請求項１６】
請求項１３に記載のアクセスポイント装置の通信方法であって、更に、前記発信側無線端末と無線回線にて接続される発信側アクセスポイント装置を備え、前記アクセスポイント装置は、前記着信側無線端末と無線回線にて接続される着信側アクセスポイント装置である無線通信システムの通信方法において、
前記発信側アクセスポイント装置は、
前記第一の信号を中継する第二の中継ステップと、
前記着信側無線端末から前記発信側無線端末に対して、前記第三の信号を中継する第三の中継ステップとを含み、
前記アクセスポイント装置において、
前記第一の送信ステップは、前記第二の信号を前記着信側無線端末に送信することを特徴とする無線通信システムの通信方法。
【発明の詳細な説明】
【技術分野】
【０００１】
本発明は、帯域量に応じて決定される許容数の無線端末と無線通信可能なアクセスポイント装置を有する無線通信システムに関し、特に、アクセスポイント装置が使用している帯域量に応じて、発信側無線端末及び着信側無線端末が使用するコーデック方式をそれぞれ変更する無線通信システムに関する。
【背景技術】
【０００２】
帯域量に応じて決定される許容数の無線端末と無線通信可能なアクセスポイント装置を有する無線通信システムが知られている。例えば、下記特許文献１では、帯域量に応じて決定される許容数の無線端末と無線通信を行っているアクセスポイント装置が、さらに、他の無線端末から発信要求を受けると、該他の無線端末と無線通信するために必要な帯域量の不足を検知し、発信要求を行った他の無線端末に対し、通信不可通知を行う無線通信システムが開示されている。
【特許文献１】特開２００５−２２９５９１号公報
【発明の開示】
【発明が解決しようとする課題】
【０００３】
しかしながら、上述した無線通信システムには、次のような解決すべき課題があった。即ち、他の無線端末の発信要求時、既に要求先のアクセスポイント装置が帯域量に応じて決定される許容数の無線端末と無線通信を行っていた場合、無線通信中である無線端末のいずれかとアクセスポイント装置との無線通信が終了されるまで、発信要求を行った他の無線端末は、該アクセスポイント装置を介して無線通信を行うことができず、利便性に問題があった。
【課題を解決するための手段】
【０００４】
本発明は、以上の点を解決するために、次の構成を採用する。
〈構成１〉
コーデック部に設定された符号化方式データが示すコーデック方式を使用して、発信側及び着信側のアクセスポイント装置を介して相互に無線通信中の複数の無線端末と、前記無線通信を制御する呼制御装置と、同一のコーデック方式を使用して、着信側となる着信側無線端末と無線通信を行うべく、前記発信側のアクセスポイント装置に対し、新たに発信要求を行う発信側無線端末とを備える無線通信システムにおいて、前記発信側無線端末は、指定されたコーデック方式を示す符号化方式データを付与した発信要求情報を前記発信側のアクセスポイント装置に送信する発信側通信部を備え、前記発信側のアクセスポイント装置は、前記発信要求情報に付与されたコーデック方式の変更が必要か否かを判定するための基準となる帯域量を示す第一発信側閾値データを保持する記憶部と、前記発信要求情報を受信すると、前記発信要求情報に付与された符号化方式データが示すコーデック方式及び前記複数の無線端末が使用しているコーデック方式に基づいて、前記発信側無線端末及び前記通信中の無線端末の無線通信に必要となる全帯域量を示す発信側帯域データを取得する発信側帯域取得部と、前記発信側帯域データが前記第一発信側閾値データより大きいと、前記発信要求情報に付与された符号化方式データの変更により通信可と判定する発信側通信可否判定部と、前記発信側通信可否判定部が前記発信要求情報に付与された符号化方式データの変更により通信可と判定すると、前記発信要求情報に付与された符号化方式データの変更を指示する変更指示データを更に付与した前記発信要求情報を前記呼制御装置に送信する発信側中継通信部とを備え、前記呼制御装置は、前記発信要求情報に変更指示データが付与されていると、コーデック方式の変更要と判定する変更要否判定部と、前記変更要否判定部が変更要と判定すると、前記発信要求情報に付与された符号化方式データが示すコーデック方式よりも使用帯域量が少ないコーデック方式を示す符号化方式データを付与した着信要求情報を生成する変更制御部と、前記生成された着信要求情報を前記着信側のアクセスポイント装置に送信する通信制御部とを備え、前記着信側のアクセスポイント装置は、前記着信要求情報に付与された符号化方式データの変更が必要か否かを判定するための基準となる帯域量を示す第一着信側閾値データを保持する記憶部と、前記着信要求情報を受信すると、前記着信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す着信側帯域データを取得する着信側帯域取得部と、前記着信側帯域データが前記第一着信側閾値データより小さいと、通信可と判定する着信側通信可否判定部と、前記着信側通信可否判定部が通信可と判定すると、前記着信要求情報を前記着信側無線端末に送信する着信側中継通信部とを備え、前記着信側無線端末は、前記着信要求情報を受信すると、付与された符号化方式データが示すコーデック方式を自己のコーデック部に設定する着信側方式設定部と、前記着信側方式設定部がコーデック方式を設定すると、設定されたコーデック方式を示す符号化方式データを付与した着信応答情報を前記発信側無線端末に送信する着信側通信部とを備え、更に、前記発信側無線端末は、着信応答情報を受信すると、付与された符号方式データが示すコーデック方式を自己のコーデック部に設定する発信側方式設定部を備えることを特徴とする。
〈構成２〉
構成１の無線通信システムにおいて、前記着信側通信可否判定部は、前記着信側帯域データが前記第一着信側閾値データより大きいと、前記着信要求情報に付与された符号化方式データの変更により通信可と判定し、前記着信側中継通信部は、前記着信側通信可否判定部が通信可と判定すると、前記着信要求情報に付与された符号化方式データの変更を指示する変更指示情報を前記呼制御装置に送信し、前記呼制御装置から、該符号化方式データを変更した着信要求情報を受信すると、該着信要求情報を前記着信側無線端末に送信することを特徴とする。
〈構成３〉
コーデック部に設定された符号化方式データが示すコーデック方式を使用して、発信側及び着信側のアクセスポイント装置を介して相互に無線通信中の複数の無線端末と、同一のコーデック方式を使用して、着信側無線端末と無線通信を行うべく、前記発信側のアクセスポイント装置に対し、発信要求を行う発信側無線端末とを備える無線通信システムにおいて、前記発信側無線端末は、指定されたコーデック方式を示す符号化方式データを付与した発信要求情報を前記発信側のアクセスポイント装置に送信する発信側通信部を備え、前記発信側のアクセスポイント装置は、前記発信要求情報に付与されたコーデック方式の変更が必要か否かを判定するための基準となる帯域量を示す第一発信側閾値データを保持する記憶部と、前記発信要求情報を受信すると、前記発信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す発信側帯域データを取得する発信側帯域取得部と、前記発信側帯域データが前記第一発信側閾値データより大きいと、前記発信要求情報に付与された符号化方式データの変更により通信可と判定する発信側通信可否判定部と、前記発信側通信可否判定部が前記発信要求情報に付与された符号化方式データの変更により通信可と判定すると、前記符号化方式データの変更を指示する変更指示データを更に前記発信要求情報に付与する発信側中継通信部と、前記発信要求情報に変更指示データが付与されていると、コーデック方式の変更要と判定する発信側変更要否判定部と、前記発信側変更要否判定部が変更要と判定すると、前記発信要求情報に付与された符号化方式データが示すコーデック方式よりも使用帯域量が少ないコーデック方式を示す符号化方式データを付与した着信要求情報を生成する変更制御部と、前記生成された着信要求情報を前記着信側のアクセスポイント装置に送信する発信側通信制御部とを備え、前記着信側のアクセスポイント装置は、前記着信要求情報に付与された符号化方式データの変更が必要か否かを判定するための基準となる帯域量を示す第一着信側閾値データを保持する記憶部と、前記着信要求情報を受信すると、前記着信要求情報に付与された符号化方式データが示すコーデック方式及び前記複数の無線端末が使用しているコーデック方式に基づいて、前記発信側無線端末及び前記複数の無線端末の無線通信に必要となる全帯域量を示す着信側帯域データを取得する着信側帯域取得部と、前記着信側帯域データが前記第一着信側閾値データより小さいと、通信可と判定する着信側通信可否判定部と、前記着信側通信可否判定部が通信可と判定すると、前記着信要求情報を前記着信側無線端末に送信する着信側通信制御部とを備え、前記着信側無線端末は、前記着信要求情報を受信すると、付与された符号化方式データが示すコーデック方式を自己のコーデック部に設定する着信側方式設定部と、前記着信側方式設定部がコーデック方式を設定すると、設定されたコーデック方式を示す符号化方式データを付与した着信応答情報を前記発信側無線端末に送信する着信側通信部とを備え、更に、前記発信側無線端末は、着信応答情報を受信すると、付与された符号方式データが示すコーデック方式を自己のコーデック部に設定する発信側方式設定部を備えることを特徴とする。
〈構成４〉
構成３の無線通信システムにおいて、前記着信側通信可否判定部は、前記着信側帯域データが前記第一着信側閾値データより大きいと、前記着信要求情報に付与された符号化方式データの変更により通信可と判定し、前記着信側通信制御部は、前記着信側通信可否判定部が前記着信要求情報に付与された符号化方式データの変更により通信可と判定すると、前記着信要求情報に付与された符号化方式データの変更を指示する変更指示データを更に、前記着信要求情報に付与し、前記着信要求情報に変更指示データが付与されていると、変更要と判定する着信側変更要否判定部と、前記着信側変更要否判定部が変更要と判定すると、前記着信要求情報に付与された符号化方式データが示すコーデック方式よりも使用帯域量が少ないコーデック方式を示す符号化方式データを付与した着信要求情報を生成すると共に、該着信要求情報を前記着信側通信制御部に転送する着信側変更制御部とを備えることを特徴とする。
〈構成５〉
設定されたコーデック方式を使用する無線端末の通信を中継し、発信側無線端末と着信側無線端末間の新たな呼接続要求に関する処理を行うアクセスポイント装置において、呼接続要求としての第一の信号を受信して、当該アクセスポイント装置の第一の通信量が第一の閾値を超えたか否かを判定する第一の判定部と、前記第一の通信量が前記第一の閾値を超えたとき、前記着信者側無線端末に対して、前記発信側無線端末と前記着信側無線端末間のコーデック方式の変更に関わる第二の信号を送信する第一の送信部と、前記着信側無線端末から前記発信側無線端末に対して、前記発信側無線端末と前記着信側無線端末間のコーデック方式が前記第二の信号に基づいて変更された第三の信号を中継する第一の中継部とを備えることを特徴とする。
〈構成６〉
構成５のアクセスポイント装置において、前記第二の信号は、変更後のコーデック方式の設定を指示する信号であることを特徴とする。
〈構成７〉
構成５のアクセスポイント装置において、前記アクセスポイント装置は、前記発信側無線端末と無線回線にて接続される発信側アクセスポイント装置であり、前記第一の信号は、発呼指示を示す信号であることを特徴とする。
〈構成８〉
請求項５記載のアクセスポイント装置において、前記アクセスポイント装置は、前記着信側無線端末と無線回線にて接続される着信側アクセスポイント装置であり、前記第一の信号は、着呼指示を示す信号であることを特徴とする。
〈構成９〉
構成５のアクセスポイント装置を備える無線通信システムにおいて、前記アクセスポイント装置は、前記発信側無線端末と無線回線にて接続される発信側アクセスポイント装置であり、更に、着信側アクセスポイント装置を備え、前記着信側アクセスポイント装置は、前記着信側無線端末と無線回線にて接続され、前記第一の信号と前記第二の信号を前記着信側無線端末に中継する第二の中継部と、前記着信側無線端末から前記発信側無線端末に対して、前記第三の信号を中継する第三の中継部とを備えることを特徴とする。
〈構成１０〉
構成５のアクセスポイント装置を備える無線通信システムにおいて、更に、発信側アクセスポイント装置を備え、前記発信側アクセスポイント装置は、前記発信側無線端末と無線回線にて接続され、前記第一の信号を中継する第二の中継部と、前記着信側無線端末から前記発信側無線端末に対して、前記第三の信号を中継する第三の中継部とを備え、前記アクセスポイント装置は、前記着信側無線端末と無線回線にて接続される着信側アクセスポイント装置であり、第一の送信部は、前記第二の信号を前記着信側無線端末に送信することを特徴とする。
〈構成１１〉
構成５のアクセスポイント装置を備える無線通信システムにおいて、前記アクセスポイント装置は、前記発信側無線端末と無線回線にて接続される発信側アクセスポイント装置であり、更に、呼制御装置と、着信側アクセスポイント装置を備え、前記呼制御装置は、前記第一の信号を制御する第一の制御部と、前記第二の信号に基づいて、変更後のコーデック方式の設定を指示する第四の信号を送信する第二の送信部とを備え、前記着信側アクセスポイント装置は、前記着信側無線端末と無線回線にて接続され、前記第一の信号と前記第四の信号を前記着信側無線端末に中継する第二の中継部と、前記着信側無線端末から前記発信側無線端末に対して、前記第三の信号を中継する第三の中継部とを備えることを特徴とする。
〈構成１２〉
構成５のアクセスポイント装置を備える無線通信システムにおいて、更に、発信側アクセスポイント装置を備え、前記発信側アクセスポイント装置は、前記発信側無線端末と無線回線にて接続され、前記第一の信号を中継する第二の中継部と、前記着信側無線端末から前記発信側無線端末に対して、前記第三の信号を中継する第三の中継部とを備え、前記呼制御装置は、前記第一の信号を制御する第一の制御部と、前記アクセスポイント装置から受信した前記第二の信号に基づいて、変更後のコーデック方式の設定を指示する第四の信号を送信する第二の送信部とを備え、前記アクセスポイント装置は、前記着信側無線端末と無線回線にて接続される着信側アクセスポイント装置であり、前記第一の信号と第四の信号を前記着信側無線端末に中継する第三の中継部とを備えることを特徴とする。
〈構成１３〉
設定されたコーデック方式を使用する無線端末の通信を中継し、発信側無線端末と着信側無線端末間の新たな呼接続要求に関する処理を行うアクセスポイント装置の通信方法において、呼接続要求としての第一の信号を受信して、当該アクセスポイント装置の第一の通信量が第一の閾値を超えたか否かを判定する第一の判定ステップと、前記第一の通信量が前記第一の閾値を超えたとき、前記着信者側無線端末に対して、前記発信側無線端末と前記着信側無線端末間のコーデック方式の変更に関わる第二の信号を送信する第一の送信ステップと、前記着信側無線端末から前記発信側無線端末に対して、前記発信側無線端末と前記着信側無線端末間のコーデック方式が前記第二の信号に基づいて変更された第三の信号を中継する第一の中継ステップとを含むことを特徴とする。
〈構成１４〉
構成１３のアクセスポイント装置の通信方法において、第二の信号は、変更後のコーデック方式の設定を指示する信号であることを特徴とする。
〈構成１５〉
構成１３のアクセスポイント装置の通信方法であって、前記アクセスポイント装置は、前記発信側無線端末と無線回線にて接続される発信側アクセスポイント装置であり、更に、前記着信側無線端末と無線回線にて接続される着信側アクセスポイント装置を備える無線通信システムの通信方法において、前記着信側アクセスポイント装置は、前記第一の信号と前記第二の信号を前記着信側無線端末に中継する第二の中継ステップと、前記着信側無線端末から前記発信側無線端末に対して、前記第三の信号を中継する第三の中継ステップとを含むことを特徴とする。
〈構成１６〉
構成１３のアクセスポイント装置の通信方法であって、更に、前記発信側無線端末と無線回線にて接続される発信側アクセスポイント装置を備え、前記アクセスポイント装置は、前記着信側無線端末と無線回線にて接続される着信側アクセスポイント装置である無線通信システムの通信方法において、前記発信側アクセスポイント装置は、前記第一の信号を中継する第二の中継ステップと、前記着信側無線端末から前記発信側無線端末に対して、前記第三の信号を中継する第三の中継ステップとを含み、前記アクセスポイント装置において、前記第一の送信ステップは、前記第二の信号を前記着信側無線端末に送信することを特徴とする。
【発明の効果】
【０００５】
本発明の無線通信システムでは、発信側無線端末が符号化方式データを付与した発信要求情報をアクセスポイント装置に送信し、発信要求情報を受信したアクセスポイント装置において、発信側無線端末を含めた通信に必要な帯域量を示す発信側帯域データが各無線端末のコーデック方式の変更をすべきか否かを判定するための基準となる帯域量を示す第一発信側閾値データを超える場合、発信要求情報に付与されている符号化方式データを、該符号化方式データよりも使用帯域の少ない符号化方式データに変更すると共に、着信要求情報を受信したアクセスポイント装置において、発信側無線端末を含めた通信に必要な帯域量を示す発信側帯域データが各無線端末のコーデック方式の変更をすべきか否かを判定するための基準となる帯域量を示す第一着信側閾値データを超える場合、着信要求情報に付与されている符号化方式データを、該符号化方式データよりも使用帯域の少ない符号化方式データに変更し、かつ変更された符号化方式データが示すコーデック方式を発信側無線端末及び着信側無線端末の各コーデック部に設定するようにしたので、発信側無線端末及び着信側無線端末が、設定されたコーデック方式を使用することで、発信要求時に、要求先のアクセスポイント装置が帯域量に応じて決定される許容数の無線端末と無線通信している場合であっても、該発信側及び着信側のアクセスポイント装置を介した無線通信を行うことができる利便性の高い無線通信システムを提供することができる。
【発明を実施するための最良の形態】
【０００６】
以下、本発明の一実施形態を図を用いて詳細に説明する。
【実施例１】
【０００７】
〈実施例１の構成〉
図１は、本発明の無線通信システムを示すブロック構成図である。
【０００８】
図１に示すように、本実施例の無線通信システムは、呼制御装置１０、アクセスポイント装置２０、３０、発信側無線端末４０、着信側無線端末５０、複数の無線端末６０、ネットワーク８０から構成されている。
【０００９】
ネットワーク８０は、呼制御装置１０及びアクセスポイント装置２０、３０間を接続する通信回線である。
【００１０】
発信側無線端末４０は、発信側の無線電話機であり、制御部４１、記憶部４２、コーデック部４３、発信側通信部４４、発信側方式設定部４５を有している。
【００１１】
記憶部４２は、ＨＤＤ等のメモリであり、端末識別データが格納されている。この端末識別データとは、例えば、電話番号等のような自己を識別するためのデータである。
【００１２】
この発信側無線端末４０は、従来と同様に、後述するように、自己の位置を呼制御装置１０に管理させるべく、無線通信の際に中継すべきアクセスポイント装置に対して、記憶部４２の端末識別データを定期的に送信している。
【００１３】
着信側無線端末５０は、着信側の無線電話機であり、制御部５１、記憶部５２、コーデック部５３、着信側通信部５４、着信側方式設定部５５を有している。
【００１４】
記憶部５２は、ＨＤＤ等のメモリであり、端末識別データが格納されている。この端末識別データとは、例えば、電話番号等のような自己を識別するためのデータである。
【００１５】
この着信側無線端末５０は、従来と同様に、後述するように、自己の位置を呼制御装置１０に管理させるべく、無線通信の際に中継すべきアクセスポイント装置に対して、記憶部５２の端末識別データを定期的に送信している。
【００１６】
アクセスポイント装置２０は、各無線端末および呼制御装置１０間を中継する装置であり、制御部２１、記憶部２２、発信側帯域取得部２３、発信側通信可否判定部２４、発信側中継通信部２５、発信側更新可否判定部２６、発信側データ更新部２７を有している。
【００１７】
記憶部２２は、ＨＤＤ等のメモリであり、装置識別データ、第一発信側閾値データ、第二発信側閾値データ、方式変更状況データ、使用帯域データ、方式帯域量対応テーブルがそれぞれ格納されている。
【００１８】
装置識別データとは、例えば、ＩＰアドレス等のような自己を識別するためのデータである。
【００１９】
方式変更状況データは、アクセスポイント装置２０がコーデック方式の変更状況を「未変更」、「変更中」のいずれかで示すデータであり、初期設定では、「未変更」を示している。
【００２０】
第一発信側閾値データは、各無線端末のコーデック方式の変更をすべきか否かを判定するための基準となる帯域量を示すデータである。
【００２１】
第二発信側閾値データは、各無線端末からの発信要求を制限すべきか否かを判定するための基準となる帯域量を示すデータである。
【００２２】
使用帯域データは、現在、アクセスポイント装置２０を介して無線通信を行っている各無線端末が使用している帯域量の合計を示すデータであり、後述するように、発信側データ更新部２７により更新される。
【００２３】
方式帯域量対応テーブルは、コーデック方式を示す符号化方式データ毎に、使用する帯域量を示す帯域量データが対応付けられたテーブルであり、例えば、コーデック方式（Ｇ．７１１）を示す符号化方式データに対して帯域量（６４ｋ）を示す帯域量データ、コーデック方式（Ｇ．７２９）を示す符号化方式データに対して帯域量（８ｋ）を示す帯域量データが対応付けられる。
【００２４】
このアクセスポイント装置２０は、従来と同様に、自己が無線通信管理する各無線端末から、無線端末の電話番号等を示す端末識別データを受信すると、受信した端末識別データ及び記憶部２２の装置識別データを呼制御装置１０に送信する。これにより、呼制御装置１０は、後述するように、端末識別データが示す無線端末がアクセスポイント装置２０を介して無線通信可能であることを特定することができる。
【００２５】
アクセスポイント装置３０は、各無線端末および呼制御装置１０間を中継する装置であり、制御部３１、記憶部３２、着信側帯域取得部３３、着信側通信可否判定部３４、着信側中継通信部３５、着信側更新可否判定部３６、着信側データ更新部３７を有している。
【００２６】
記憶部３２は、ＨＤＤ等のメモリであり、装置識別データ、第一着信側閾値データ、第二着信側閾値データ、方式変更状況データ、使用帯域データ、方式帯域量対応テーブルがそれぞれ格納されている。
【００２７】
装置識別データとは、例えば、ＩＰアドレス等のような自己を識別するためのデータである。
【００２８】
方式変更状況データは、アクセスポイント装置２０がコーデック方式の変更状況を「未変更」、「変更中」のいずれかで示すデータであり、初期設定では、「未変更」を示している。
【００２９】
第一着信側閾値データは、アクセスポイント装置が使用している帯域量により、各無線端末のコーデック方式の変更をすべきか否かを判定するための基準となる帯域量を示すデータである。
【００３０】
第二着信側閾値データは、アクセスポイント装置が使用している帯域量により、各無線端末からの発信要求を制限すべきか否かを判定するための基準となる帯域量を示すデータである。
【００３１】
使用帯域データは、現在、アクセスポイント装置３０を介して無線通信を行っている各無線端末が使用している帯域量の合計を示すデータであり、後述するように、着信側データ更新部３７により更新される。
【００３２】
方式帯域量対応テーブルは、コーデック方式を示す符号化方式データ毎に、使用する大域量を示す帯域量データが対応付けられたテーブルであり、例えば、コーデック方式（Ｇ．７１１）を示す符号化方式データに対して帯域量（６４ｋ）を示す帯域量データ、コーデック方式（Ｇ．７２９）を示す符号化方式データに対して帯域量（８ｋ）を示す帯域量データが対応付けられる。
【００３３】
このアクセスポイント装置３０は、従来と同様に、自己が無線通信管理する各無線端末から、無線端末の電話番号等を示す端末識別データを受信すると、受信した端末識別データ及び記憶部３２の装置識別データを呼制御装置１０に送信する。これにより、呼制御装置１０は、後述するように、端末識別データが示す無線端末がアクセスポイント装置３０を介して無線通信可能であることを特定することができる。
【００３４】
呼制御装置１０は、各無線端末間の無線通信確立を行う装置であり、制御部１１、記憶部１２、変更要否判定部１３、装置特定部１４、変更制御部１５、通信制御部１６を有している。
【００３５】
記憶部１２は、ＨＤＤ等のメモリであり、方式変更対応テーブル、端末装置間対応リストデータがそれぞれ格納されている。
【００３６】
方式変更対応テーブルは、符号化方式データ毎に、変更対象として該符号化方式データよりも使用帯域の少ない符号化方式データが対応付けられたテーブルであり、例えば、固定電話と同等の音質のコーデック方式（Ｇ．７１１（＝６４ｋ））を示す符号化方式データに対し、変更対象として、該符号化方式データ（Ｇ．７１１（＝６４ｋ））より使用帯域の少ない携帯電話と同等の音質のコーデック方式（Ｇ．７２９（＝８ｋ））を示す符号化方式データが対応付けられる。
【００３７】
端末装置間対応リストデータは、呼制御装置１０が各無線端末との無線通信に中継すべきアクセスポイント装置を特定するためのデータであり、従来と同様に、上述したように、各アクセスポイント装置２０、３０から各無線端末の端末識別データおよび装置識別データを受信する毎に、受信した各無線端末の端末識別データおよび装置識別データに基づいて更新される。
【００３８】
本実施例では、記憶部１２には、発信側無線端末４０を示す端末識別データ、発信側の無線端末６０を示す端末識別データに対してアクセスポイント装置２０を示す装置識別データがそれぞれ対応付けられ、着信側無線端末５０を示す端末識別データ、着信側の無線端末６０を示す端末識別データに対してアクセスポイント装置３０を示す装置識別データがそれぞれ対応付けられた端末装置間対応リストデータが格納されていることとする。
【００３９】
複数の無線端末６０は、アクセスポイント装置２０、３０を介して無線通信中の無線電話機である。
【００４０】
以下、本実施例における呼制御装置１０、アクセスポイント装置２０、３０、発信側無線端末４０、着信側無線端末５０、複数の無線端末６０の相互関連について説明を行う。
【００４１】
まず、発信側無線端末４０が着信側無線端末５０と無線通信すべく、アクセスポイント装置２０に対して、使用していたコーデック方式を示す符号化方式データ及び着信側無線端末５０を示す端末識別データを付与した発信要求情報を送信した場合について説明を行う。
【００４２】
発信側無線端末４０の制御部４１は、いわゆるＣＰＵとして、発信側無線端末４０を制御する部であり、発信者が図示しない入力部を介して、着信側無線端末５０の電話番号を示す端末識別データ及び、例えば、Ｇ．７１１（６４ｋ）等のようなコーデック方式を示す符号化方式データを入力し、発信要求を指示すると、端末識別データ及び符号化方式データを発信側通信部４４に転送する。
【００４３】
発信側通信部４４は、無線通信可能なアクセスポイント装置とのデータ通信を行う部であり、端末識別データ及び符号化方式データを受けると、端末識別データ及び符号化方式データを付与した発信要求情報をアクセスポイント装置２０に送信する。
【００４４】
アクセスポイント装置２０の制御部２１は、いわゆるＣＰＵとして、アクセスポイント装置２０を制御する部であり、発信要求情報を受信すると、発信要求情報を図示しないメモリに一時格納すると共に、新規に発信要求を行った無線端末を含めた通信に必要な全帯域量を示す発信側帯域データを取得すべく、発信要求情報を発信側帯域取得部２３に転送する。
【００４５】
発信側帯域取得部２３は、発信側帯域データを取得する部であり、図示しないメモリに下記発信側帯域量算出式を保持している。
【００４６】
発信側帯域量算出式＝ＮＴ＋ＳＴ・・・（１）
【００４７】
但し、ＮＴ：新規の無線端末が通信に必要な帯域量データ、ＳＴ：使用帯域データ。
【００４８】
発信側帯域取得部２３は、発信要求情報を受けると、まず、発信要求情報に付与された符号化方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（１）に適用し、発信側帯域データを取得する。
【００４９】
発信側通信可否判定部２４は、使用する帯域量に応じて通信可否を判定する部であり、発信側帯域取得部２３が発信側帯域データを取得すると、まず、記憶部２２の方式変更状況データを参照し、発信側帯域データと比較すべき閾値データ（＝第一発信側閾値データまたは第二発信側閾値データ）を決定する。即ち、方式変更状況データが「未変更」を示していると、発信側帯域データの比較対象を第一発信側閾値データと決定し、「変更中」を示していると、比較対象を第二発信側閾値データと決定する。
【００５０】
発信側通信可否判定部２４は、比較対象を第二発信側閾値データと決定すると、発信側帯域データと第二発信側閾値データとの比較を開始し、発信側帯域データの示す帯域量が第二発信側閾値データの示す帯域量よりも小さいと、通信可と判定し、発信側帯域データの示す帯域量が第二発信側閾値データの示す帯域量よりも大きいと、通信不可と判定する。
【００５１】
発信側データ更新部２７は、記憶部２２の各データを更新する部であり、発信側通信可否判定部２４が通信可と判定すると、メモリの発信要求情報に付与されている符号化方式データに基づいて、記憶部２２の方式帯域量対応テーブルを参照し、対応する帯域量データを特定すると共に、特定された帯域量データが示す帯域量を使用帯域データに加算して使用帯域データを更新する。
【００５２】
発信側中継通信部２５は、各無線端末と呼制御装置１０との中継を行う部であり、発信側データ更新部２７が使用帯域データを更新すると、メモリの発信要求情報を呼制御装置１０に送信する。
【００５３】
一方、通信不可と判定すると、従来と同様に、帯域不足により通信不可を示す通信不可データを発信側無線端末４０に送信する。
【００５４】
発信側無線端末４０の制御部４１は、通信不可データを受信すると、例えば、図示しないスピーカ等の出力部を介して通信不可データに基づく音声出力等を行う。これにより、発信側無線端末４０の利用者は、帯域不足により通信不可であることを把握することができる。
【００５５】
一方、発信側通信可否判定部２４が比較対象を第一発信側閾値データと決定すると、発信側帯域データと決定した第一発信側閾値データとの比較を開始し、発信側帯域データの示す帯域量が第一発信側閾値データの示す帯域量よりも小さいと、通信可と判定し、発信側帯域データの示す帯域量が第一発信側閾値データの示すそれよりも大きいと、Ｇ．７２９のコーデック方式変更により通信可と判定する。
【００５６】
発信側データ更新部２７は、発信側通信可否判定部２４が通信可と判定すると、上記と同様に、使用帯域データを更新し、発信側通信可否判定部２４がコーデック方式変更により通信可と判定すると、上記した使用帯域データの更新を行うと共に、記憶部２２の方式変更状況データを「未変更」（Ｇ．７１１）から「変更中」（Ｇ．７２９）に更新する。
【００５７】
発信側中継通信部２５は、発信側データ更新部２７が使用帯域データを更新すると、上記と同様に、メモリの発信要求情報を呼制御装置１０に送信し、発信側データ更新部２７が方式変更状況データを更新すると、呼制御装置１０にコーデック方式の変更を指示すべく、コーデック方式の変更を指示する変更指示データを付与した発信要求情報を呼制御装置１０に送信する。
【００５８】
呼制御装置１０の制御部１１は、いわゆるＣＰＵとして、呼制御装置１０を統括制御する部であり、発信要求情報を受信すると、発信要求情報を変更要否判定部１３に転送する。
【００５９】
変更要否判定部１３は、各無線端末に設定されているコーデック方式の変更が必要か否かを判定する部であり、受信した発信要求情報に変更指示データが付与されていると、コーデック方式の変更要と判定し、付与されていないと、変更不要と判定する。
【００６０】
制御部１１は、変更要否判定部１３がコーデック方式の変更不要と判定すると、発信要求情報を装置特定部１４に転送し、変更要と判定すると、発信要求情報を変更制御部１５に転送する。
【００６１】
変更制御部１５は、符号化方式データの変更を行う部であり、発信要求情報を受けると、発信要求情報に付与されている符号化方式データに基づいて、記憶部１２の方式変更対応テーブルを参照し、変更対象となる使用帯域の少ない符号化データを特定すると共に、特定された符号化方式データを発信要求情報に付与する。
【００６２】
即ち、例えば、メモリの発信要求情報にＧ．７１１（＝６４ｋ）を示す符号化方式データが付与されていると、変更制御部１５は、符号化方式データ（Ｇ．７１１（＝６４ｋ））に基づいて、記憶部１２の方式変更対応テーブルを参照し、使用帯域の少ないＧ．７２９（＝８ｋ）を示す符号化方式データを特定すると共に、特定したＧ．７２９（＝８ｋ）を示す符号化方式データを付与する。
【００６３】
制御部１１は、変更制御部１５が符号化方式データの変更を完了すると、該符号化方式データが付与された発信要求情報を装置特定部１４に転送する。
【００６４】
装置特定部１４は、発信要求先の無線端末を通信可能に管理しているアクセスポイント装置を特定する部であり、発信要求情報を受けると、発信要求情報に付与された端末識別データに基づいて、記憶部１２の端末装置間対応リストデータを参照し、対応する装置識別データを特定する。
【００６５】
本実施例では、着信側無線端末５０を示す端末識別データが付与された発信要求情報を受信することから、アクセスポイント装置３０を示す装置識別データが特定される。
【００６６】
制御部１１は、装置特定部１４が装置識別データを特定すると、特定された装置識別データ及び発信要求情報に付与されている符号化方式データを通信制御部１６に転送する。
【００６７】
通信制御部１６は、各無線端末間の通信を制御する部であり、装置識別データ及び符号化方式データを受けると、装置識別データに基づくアクセスポイント装置に対し、Ｇ．７１１又はＧ．７２９を示す符号化方式データを付与した着信要求情報を送信する。
【００６８】
本実施例では、通信制御部１６により、符号化方式データが付与された着信要求情報がアクセスポイント装置３０に送信される。
【００６９】
アクセスポイント装置３０の制御部３１は、いわゆるＣＰＵとして、アクセスポイント装置３０を統括制御する部であり、着信要求情報を受信すると、着信要求情報を図示しないメモリに一時格納すると共に、新規に発信要求を行った無線端末を含めた通信に必要な全帯域量を示す着信側帯域データを取得すべく、着信要求情報を着信側帯域取得部３３に転送する。
【００７０】
着信側帯域取得部３３は、着信側帯域データを取得する部であり、図示しないメモリに下記着信側帯域量算出式を保持している。
【００７１】
着信側帯域量算出式＝ＮＴ＋ＳＴ・・・（２）
【００７２】
但し、ＮＴ：新規の無線端末が通信に必要な帯域量データ、ＳＴ：使用帯域データ。
【００７３】
着信側帯域取得部３３は、着信要求情報を受けると、まず、着信要求情報に付与された符号化方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（２）に適用し、着信側帯域データを取得する。
【００７４】
着信側通信可否判定部３４は、使用する帯域量に応じて通信可否を判定する部であり、着信側帯域取得部３３が着信側帯域データを取得すると、まず、記憶部３２の方式変更状況データを参照し、着信側帯域データと比較すべき閾値データ（＝第一着信側閾値データまたは第二着信側閾値データ）を決定する。即ち、方式変更状況データが「未変更」を示していると、着信側帯域データの比較対象を第一着信側閾値データと決定し、「変更中」を示していると、比較対象を第二着信側閾値データと決定する。
【００７５】
着信側通信可否判定部３４は、比較対象を第二着信側閾値データと決定すると、着信側帯域データと第二着信側閾値データとの比較を開始し、着信側帯域データの示す帯域量が第二着信側閾値データの示す帯域量よりも小さいと、通信可と判定し、着信側帯域データの示す帯域量が第二着信側閾値データの示す帯域量よりも大きいと、通信不可と判定する。
【００７６】
着信側データ更新部３７は、記憶部３２の各データを更新する部であり、着信側通信可否判定部３４が通信可と判定すると、メモリの着信要求情報に付与されている符号化方式データに基づいて、記憶部３２の方式帯域量対応テーブルを参照し、対応する帯域量データを特定すると共に、特定された帯域量データが示す帯域量を使用帯域データに加算して使用帯域データを更新する。
【００７７】
着信側中継通信部３５は、各無線端末と呼制御装置１０との中継を行う部であり、着信側データ更新部３７が使用帯域データを更新すると、メモリの着信要求情報を着信側無線端末５０に送信する。
【００７８】
一方、通信不可と判定すると、従来と同様に、帯域不足により通信不可を示す通信不可データを呼制御装置１０に送信する。
【００７９】
呼制御装置１０の制御部１１は、通信不可データを受信すると、受信した通信不可データを通信制御部１６に転送し、通信制御部１６は、受信した通信不可データをアクセスポイント装置２０に送信する。
【００８０】
アクセスポイント装置２０の制御部２１は、通信不可データを受信すると、受信した通信不可データを発信側中継通信部２５に転送し、発信側中継通信部２５は、受信した通信不可データを発信側無線端末４０に送信する。
【００８１】
発信側無線端末４０の制御部４１は、通信不可データを受信すると、例えば、図示しないスピーカ等の出力部を介して通信不可データに基づく音声出力等を行う。これにより、発信側無線端末４０の利用者は、帯域不足により通信不可であることを把握することができる。
【００８２】
一方、着信側通信可否判定部３４が比較対象を第一着信側閾値データと決定すると、着信側帯域データと決定した第一着信側閾値データとの比較を開始し、着信側帯域データの示す帯域量が第一着信側閾値データの示す帯域量よりも小さいと、通信可と判定し、着信側帯域データの示す帯域量が第一着信側閾値データの示す帯域量よりも大きいと、Ｇ．７２９を示すコーデック方式変更により通信可と判定する。
【００８３】
着信側データ更新部３７は、着信側通信可否判定部３４が通信可と判定すると、上記と同様に、使用帯域データを更新し、着信側通信可否判定部３４がコーデック方式変更により通信可と判定すると、上記と同様に、使用帯域データの更新を行うと共に、記憶部３２の方式変更状況データを「未変更」から「変更中」に更新する。
【００８４】
着信側中継通信部３５は、着信側データ更新部３７が使用帯域データのみを更新すると、メモリの着信要求情報を着信側無線端末５０に送信し、着信側データ更新部３７が方式変更状況データを「変更中」に更新すると、呼制御装置１０にコーデック方式の変更を指示すべく、メモリの着信要求情報に付与された符号化方式データを含む変更指示情報を呼制御装置１０に送信する。
【００８５】
呼制御装置１０の制御部１１は、変更指示情報を受信すると、変更指示情報を変更制御部１５に転送する。
【００８６】
変更制御部１５は、変更指示情報を受けると、変更指示情報に含まれている符号化方式データに基づいて、記憶部１２の方式変更対応テーブルを参照し、変更対象となる使用帯域の少ない符号化データ（Ｇ．７２９）を特定すると共に、特定された符号化方式データを付与した着信要求情報を通信制御部１６に転送し、通信制御部１６は、受信した着信要求情報をアクセスポイント装置３０に送信する。
【００８７】
アクセスポイント装置３０の制御部３１は、着信要求情報を受信すると、受信した着信要求情報を着信側無線端末５０に送信する。
【００８８】
着信側無線端末５０の制御部５１は、いわゆるＣＰＵとして、着信側無線端末５０を統括制御する部であり、着信要求情報を受信すると、着信要求情報に付与された符号化方式データを着信側方式設定部５５に転送する。
【００８９】
着信側方式設定部５５は、使用すべきコーデック方式をコーデック部５３に設定する部であり、符号化方式データを受けると、図示しないメモリに符号化方式データを一時格納すると共に、符号化方式データに基づいたコーデック方式をコーデック部５３に設定する。
【００９０】
制御部５１は、着信側方式設定部５５がコーデック方式をコーデック部５３に設定すると、メモリの符号化方式データを着信側通信部５４に転送する。
【００９１】
着信側通信部５４は、無線通信可能なアクセスポイント装置とのデータ通信を行う部であり、符号化方式データを受けると、符号化方式データを付与した着信応答情報をアクセスポイント装置３０に送信する。
【００９２】
アクセスポイント装置３０の制御部３１は、着信応答情報を受信すると、着信応答情報を着信側中継通信部３５に転送し、着信側中継通信部３５は、受信した着信応答情報を呼制御装置１０に送信する。
【００９３】
呼制御装置１０の制御部１１は、着信応答情報を受信すると、着信応答情報を通信制御部１６に転送し、通信制御部１６は、受信した着信応答情報をアクセスポイント装置２０に送信する。
【００９４】
アクセスポイント装置２０の制御部２１は、着信応答情報を受信すると、受信した着信応答情報を発信側無線端末４０に送信する。
【００９５】
発信側無線端末４０の制御部４１は、着信応答情報を受信すると、着信応答情報に付与された符号化方式データを発信側方式設定部４５に転送する。
【００９６】
発信側方式設定部４５は、使用すべきコーデック方式をコーデック部４３に設定する部であり、符号化方式データを受けると、符号化方式データに基づいたコーデック方式をコーデック部４３に設定する。以降、発信側無線端末４０は、コーデック部４３に設定されたコーデック方式により、アクセスポイント装置２０を介して着信側無線端末５０と無線通信を行うことができる。
【００９７】
このように、アクセスポイント装置２０において、発信側帯域データが第一発信側閾値データを超える場合、発信要求情報に付与されている符号化方式データを、該符号化方式データよりも使用帯域の少ない符号化方式データに変更すると共に、アクセスポイント装置３０において、着信側帯域データが第一着信側閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式をそれぞれ設定するようにしたので、以降、発信側無線端末４０及び着信側無線端末５０が設定されたコーデック方式を使用することで、アクセスポイント装置２０、３０を介して無線通信を行うことができる。
【００９８】
引き続き、発信側無線端末４０が着信側無線端末５０との通信を切断すべく、アクセスポイント装置２０に対して、使用していたコーデック方式を示す符号化方式データ及び着信側無線端末５０を示す端末識別データを付与した切断要求情報を送信した場合について説明を行う。
【００９９】
アクセスポイント装置２０の制御部２１が、発信側無線端末４０から、使用していたコーデック方式を示す符号化方式データ及び着信側無線端末５０を示す端末識別データを付与した切断要求情報を受信すると、切断要求情報を図示しないメモリに一時格納すると共に、切断要求された無線端末の使用していた帯域量を除く全帯域量を示す発信側削減帯域データを取得すべく、切断要求情報を発信側帯域取得部２３に転送する。
【０１００】
発信側帯域取得部２３は、図示しないメモリに下記発信側削減帯域量算出式を保持している。
【０１０１】
発信側削減帯域量算出式＝ＳＴ−ＢＴ・・・（３）
【０１０２】
但し、ＳＴ：使用帯域データ、ＢＴ：切断対象の無線端末が使用していた帯域量データ。
【０１０３】
発信側帯域取得部２３は、切断要求情報を受けると、まず、切断要求情報に付与された符号化方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（３）に適用し、発信側削減帯域データを取得する。
【０１０４】
発信側更新可否判定部２６は、使用する帯域量に応じて方式変更状況データの更新可否を判定する部であり、発信側帯域取得部２３が発信側削減帯域データを取得すると、発信側削減帯域データと記憶部２２の第二発信側閾値データとを比較し、発信側削減帯域データの示す帯域量が第二発信側閾値データの示す帯域量よりも小さいと、更新可と判定し、発信側削減帯域データの示す帯域量が第二発信側閾値データの示す帯域量よりも大きいと、更新不可と判定する。
【０１０５】
発信側データ更新部２７は、発信側更新可否判定部２６が更新不可と判定すると、メモリの切断要求情報に付与されている符号化方式データに基づいて、記憶部２２の方式帯域量対応テーブルを参照し、対応する帯域量データを特定すると共に、特定された帯域量データが示す帯域量を使用帯域データから減算して使用帯域データを更新し、発信側更新可否判定部２６が更新可と判定すると、上記した使用帯域データの更新を行うと共に、記憶部２２の方式変更状況データを「変更中」から「未変更」に更新する。
【０１０６】
発信側中継通信部２５は、発信側データ更新部２７が記憶部２２を更新すると、メモリの切断要求情報を呼制御装置１０に送信する。
【０１０７】
呼制御装置１０の制御部１１は、切断要求情報を受信すると、切断要求情報を装置特定部１４に転送する。
【０１０８】
装置特定部１４は、切断要求情報を受けると、付与されている端末識別データに基づいて、記憶部１２の端末装置間対応リストデータを参照し、対応する装置識別データを特定する。即ち、本実施例では、アクセスポイント装置３０を示す装置識別データが特定される。
【０１０９】
制御部１１は、装置特定部１４が装置識別データを特定すると、特定された装置識別データ及び切断要求情報を通信制御部１６に転送する。
【０１１０】
通信制御部１６は、装置識別データ及び切断要求情報を受けると、装置識別データに基づくアクセスポイント装置に対して切断要求情報を送信する。即ち、アクセスポイント装置３０に対して切断要求情報が送信される。
【０１１１】
アクセスポイント装置３０の制御部３１は、切断要求情報を受信すると、切断要求情報を図示しないメモリに一時格納すると共に、切断要求された無線端末の使用していた帯域量を除く全帯域量を示す着信側削減帯域データを取得すべく、切断要求情報を着信側帯域取得部３３に出力する。
【０１１２】
着信側帯域取得部３３は、図示しないメモリに下記着信側削減帯域量算出式を保持している。
【０１１３】
着信側削減帯域量算出式＝ＳＴ−ＢＴ・・・（４）
【０１１４】
但し、ＳＴ：使用帯域データ、ＢＴ：切断対象の無線端末が使用していた帯域量データ。
【０１１５】
着信側帯域取得部３３は、切断要求情報を受けると、まず、切断要求情報に付与された符号化方式データに基づいて、記憶部３２の方式帯域量対応テーブルを参照し、対応する帯域量データを特定すると共に、記憶部３２から使用帯域データを取得する。そして、発信側帯域取得部２３は、特定した帯域量データ及び取得した使用帯域データを上記式（４）に適用し、着信側削減帯域データを取得する。
【０１１６】
着信側更新可否判定部３６は、使用する帯域量に応じて方式変更状況データの更新可否を判定する部であり、着信側帯域取得部３３が着信側削減帯域データを取得すると、まず、着信側削減帯域データと記憶部３２の第二着信側閾値データとを比較し、着信側削減帯域データの示す帯域量が第二着信側閾値データの示す帯域量よりも小さいと、更新可と判定し、着信側削減帯域データの示す帯域量が第二着信側閾値データの示す帯域量よりも大きいと、更新不可と判定する。
【０１１７】
着信側データ更新部３７は、着信側更新可否判定部３６が更新不可と判定すると、メモリの切断要求情報に付与されている符号化方式データに基づいて、記憶部３２の方式帯域量対応テーブルを参照し、対応する帯域量データを特定すると共に、特定された帯域量データが示す帯域量を使用帯域データから減算して使用帯域データを更新し、着信側更新可否判定部３６が更新可と判定すると、上記した使用帯域データを更新すると共に、記憶部３２の方式変更状況データを「変更中」から「未変更」に更新する。
【０１１８】
着信側中継通信部３５は、着信側データ更新部３７が記憶部３２を更新すると、メモリの切断要求情報を着信側無線端末５０に送信する。
【０１１９】
着信側無線端末５０は、制御部５１は、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信する。
【０１２０】
アクセスポイント装置３０の制御部３１は、切断応答情報を受信すると、切断応答情報を着信側中継通信部３５に転送し、着信側中継通信部３５は、受け付けた切断応答情報を呼制御装置１０に送信する。
【０１２１】
呼制御装置１０の制御部１１は、切断応答情報を受信すると、切断応答情報を通信制御部１６に転送し、通信制御部１６は、受け付けた切断応答情報を発信側無線端末４０に送信し、発信側無線端末４０が切断応答情報を受信すると、発信側無線端末４０と着信側無線端末５０間における通信の切断が完了する。
【０１２２】
〈実施例１の動作〉
以下、実施例１の無線通信システムの動作について説明を行う。
【０１２３】
まず、発信側無線端末４０が着信側無線端末５０と無線通信すべく、アクセスポイント装置２０に対して、使用していたコーデック方式を示す符号化方式データ及び着信側無線端末５０を示す端末識別データを付与した発信要求情報を送信した場合に、発信側無線端末４０、着信側無線端末５０に対するコーデック方式が変更されるまでについて説明を行う。
【０１２４】
図２は、実施例１の無線通信システムにおける発信側無線端末４０、着信側無線端末５０に対するコーデック方式の変更動作フローチャートである。
【０１２５】
発信側無線端末４０の制御部４１は、発信者が図示しない入力部を介して、着信側無線端末５０の電話番号を示す端末識別データ及び、例えば、Ｇ．７１１（６４ｋ）等のようなコーデック方式を示す符号化方式データを入力し、発信要求を指示すると、端末識別データ及び符号化方式データを発信側通信部４４に転送する。
【０１２６】
発信側通信部４４は、端末識別データ及び符号化方式データを受けると、端末識別データ及び符号化方式データを付与した発信要求情報をアクセスポイント装置２０に送信する（Ｓ１）。
【０１２７】
アクセスポイント装置２０の制御部２１は、発信要求情報を受信すると、発信要求情報を図示しないメモリに一時格納すると共に、新規に発信要求を行った無線端末を含めた通信に必要な全帯域量を示す発信側帯域データを取得すべく、発信要求情報を発信側帯域取得部２３に転送する。
【０１２８】
発信側帯域取得部２３は、発信要求情報を受けると、まず、発信要求情報に付与された符号化方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（１）に適用し、発信側帯域データを取得する（Ｓ２）。
【０１２９】
発信側通信可否判定部２４は、発信側帯域取得部２３が発信側帯域データを取得すると、まず、記憶部２２の方式変更状況データを参照し、発信側帯域データと比較すべき閾値データ（＝第一発信側閾値データまたは第二発信側閾値データ）を決定する（Ｓ３）。即ち、方式変更状況データが「未変更」を示していると、発信側帯域データの比較対象を第一発信側閾値データと決定し、「変更中」を示していると、比較対象を第二発信側閾値データと決定する。
【０１３０】
発信側通信可否判定部２４は、比較対象を第二発信側閾値データと決定すると、発信側帯域データと第二発信側閾値データとの比較を開始し、発信側帯域データの示す帯域量が第二発信側閾値データの示す帯域量よりも小さいと、通信可と判定し、発信側帯域データの示す帯域量が第二発信側閾値データの示す帯域量よりも大きいと、通信不可と判定する（Ｓ４）。
【０１３１】
発信側データ更新部２７は、発信側通信可否判定部２４が通信可と判定すると、メモリの発信要求情報に付与されている符号化方式データに基づいて、記憶部２２の方式帯域量対応テーブルを参照し、対応する帯域量データを特定すると共に、特定された帯域量データが示す帯域量を使用帯域データに加算して使用帯域データを更新する（Ｓ５）。
【０１３２】
発信側中継通信部２５は、発信側データ更新部２７が使用帯域データを更新すると、メモリの発信要求情報を呼制御装置１０に送信する（Ｓ９）。
【０１３３】
一方、通信不可と判定すると、従来と同様に、帯域不足により通信不可を示す通信不可データを発信側無線端末４０に送信する（Ｓ６）。
【０１３４】
発信側無線端末４０の制御部４１は、通信不可データを受信すると、例えば、図示しないスピーカ等の出力部を介して通信不可データに基づく音声出力等を行う。これにより、発信側無線端末４０の利用者は、帯域不足により通信不可であることを把握することができる。
【０１３５】
一方、発信側通信可否判定部２４が比較対象を第一発信側閾値データと決定すると、発信側帯域データと決定した第一発信側閾値データとの比較を開始し、発信側帯域データの示す帯域量が第一発信側閾値データの示す帯域量よりも小さいと、通信可と判定し、発信側帯域データの示す帯域量が第一発信側閾値データの示すそれよりも大きいと、Ｇ．７２９のコーデック方式変更により通信可と判定する（Ｓ７）。
【０１３６】
発信側データ更新部２７は、発信側通信可否判定部２４が通信可と判定すると、上記と同様に、使用帯域データを更新し（Ｓ８）、発信側通信可否判定部２４がコーデック方式変更により通信可と判定すると、上記した使用帯域データの更新を行うと共に、記憶部２２の方式変更状況データを「未変更」（Ｇ．７１１）から「変更中」（Ｇ．７２９）に更新する（Ｓ１０）。
【０１３７】
発信側中継通信部２５は、発信側データ更新部２７が使用帯域データのみを更新すると、上記と同様に、メモリの発信要求情報を呼制御装置１０に送信し、発信側データ更新部２７が方式変更状況データを更新すると、呼制御装置１０にコーデック方式の変更を指示すべく、コーデック方式の変更を指示する変更指示データを付与した発信要求情報を呼制御装置１０に送信する（Ｓ１１）。
【０１３８】
呼制御装置１０の制御部１１は、発信要求情報を受信すると、発信要求情報を変更要否判定部１３に転送する。
【０１３９】
変更要否判定部１３は、受信した発信要求情報に変更指示データが付与されていると、コーデック方式の変更要と判定し、付与されていないと、変更不要と判定する（Ｓ１２）。
【０１４０】
制御部１１は、変更要否判定部１３がコーデック方式の変更不要と判定すると、発信要求情報を装置特定部１４に転送し（Ｓ１３）、変更要と判定すると、発信要求情報を変更制御部１５に転送する（Ｓ１４）。
【０１４１】
変更制御部１５は、発信要求情報を受けると、発信要求情報に付与されている符号化方式データに基づいて、記憶部１２の方式変更対応テーブルを参照し、変更対象となる使用帯域の少ない符号化データを特定すると共に、特定された符号化方式データを発信要求情報に付与する（Ｓ１５）。
【０１４２】
即ち、例えば、メモリの発信要求情報にＧ．７１１（＝６４ｋ）を示す符号化方式データが付与されていると、変更制御部１５は、符号化方式データ（Ｇ．７１１（＝６４ｋ））に基づいて、記憶部１２の方式変更対応テーブルを参照し、使用帯域の少ないＧ．７２９（＝８ｋ）を示す符号化方式データを特定すると共に、特定したＧ．７２９（＝８ｋ）を示す符号化方式データを付与する。
【０１４３】
制御部１１は、変更制御部１５が符号化方式データの変更を完了すると、該符号化方式データが付与された発信要求情報を装置特定部１４に転送する。
【０１４４】
装置特定部１４は、発信要求情報を受けると、発信要求情報に付与された端末識別データに基づいて、記憶部１２の端末装置間対応リストデータを参照し、対応する装置識別データを特定する（Ｓ１６）。
【０１４５】
本実施例では、着信側無線端末５０を示す端末識別データが付与された発信要求情報を受信することから、アクセスポイント装置３０を示す装置識別データが特定される。
【０１４６】
制御部１１は、装置特定部１４が装置識別データを特定すると、特定された装置識別データ及び発信要求情報に付与されている符号化方式データを通信制御部１６に転送する。
【０１４７】
通信制御部１６は、装置識別データ及び符号化方式データを受けると、装置識別データに基づくアクセスポイント装置に対し、該符号化方式データを付与した着信要求情報を送信する（Ｓ１７）。
【０１４８】
本実施例では、通信制御部１６により、符号化方式データが付与された着信要求情報がアクセスポイント装置３０に送信される。
【０１４９】
アクセスポイント装置３０の制御部３１は、着信要求情報を受信すると、着信要求情報を図示しないメモリに一時格納すると共に、新規に発信要求を行った無線端末を含めた通信に必要な全帯域量を示す着信側帯域データを取得すべく、着信要求情報を着信側帯域取得部３３に転送する。
【０１５０】
着信側帯域取得部３３は、着信要求情報を受けると、まず、着信要求情報に付与された符号化方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（２）に適用し、着信側帯域データを取得する（Ｓ１８）。
【０１５１】
着信側通信可否判定部３４は、着信側帯域取得部３３が着信側帯域データを取得すると、まず、記憶部３２の方式変更状況データを参照し、着信側帯域データと比較すべき閾値データ（＝第一着信側閾値データまたは第二着信側閾値データ）を決定する。即ち、方式変更状況データが「未変更」を示していると、着信側帯域データの比較対象を第一着信側閾値データと決定し、「変更中」を示していると、比較対象を第二着信側閾値データと決定する（Ｓ１９）。
【０１５２】
着信側通信可否判定部３４は、比較対象を第二着信側閾値データと決定すると、着信側帯域データと第二着信側閾値データとの比較を開始し、着信側帯域データの示す帯域量が第二着信側閾値データの示す帯域量よりも小さいと、通信可と判定し、着信側帯域データの示す帯域量が第二着信側閾値データの示す帯域量よりも大きいと、通信不可と判定する（Ｓ２５）。
【０１５３】
着信側データ更新部３７は、着信側通信可否判定部３４が通信可と判定すると、メモリの着信要求情報に付与されている符号化方式データに基づいて、記憶部３２の方式帯域量対応テーブルを参照し、対応する帯域量データを特定すると共に、特定された帯域量データが示す帯域量を使用帯域データに加算して使用帯域データを更新する（Ｓ２６）。
【０１５４】
着信側中継通信部３５は、着信側データ更新部３７が使用帯域データを更新すると、メモリの着信要求情報を着信側無線端末５０に送信する（Ｓ２８）。
【０１５５】
一方、通信不可と判定すると、従来と同様に、帯域不足により通信不可を示す通信不可データを呼制御装置１０に送信する。
【０１５６】
呼制御装置１０の制御部１１は、通信不可データを受信すると、受信した通信不可データを通信制御部１６に転送し、通信制御部１６は、受信した通信不可データをアクセスポイント装置２０に送信する。
【０１５７】
アクセスポイント装置２０の制御部２１は、通信不可データを受信すると、受信した通信不可データを発信側中継通信部２５に転送し、発信側中継通信部２５は、受信した通信不可データを発信側無線端末４０に送信する（Ｓ２７）。
【０１５８】
発信側無線端末４０の制御部４１は、通信不可データを受信すると、例えば、図示しないスピーカ等の出力部を介して通信不可データに基づく音声出力等を行う。これにより、発信側無線端末４０の利用者は、帯域不足により通信不可であることを把握することができる。
【０１５９】
一方、着信側通信可否判定部３４が比較対象を第一着信側閾値データと決定すると、着信側帯域データと決定した第一着信側閾値データとの比較を開始し、着信側帯域データの示す帯域量が第一着信側閾値データの示す帯域量よりも小さいと、通信可と判定し、着信側帯域データの示す帯域量が第一着信側閾値データの示す帯域量よりも大きいと、コーデック方式変更により通信可と判定する（Ｓ２０）。
【０１６０】
着信側データ更新部３７は、着信側通信可否判定部３４が通信可と判定すると、上記と同様に、使用帯域データのみを更新し（Ｓ２１）、着信側通信可否判定部３４がコーデック方式変更により通信可と判定すると、上記と同様に、使用帯域データの更新を行うと共に、記憶部３２の方式変更状況データを「未変更」から「変更中」に更新する（Ｓ２２）。
【０１６１】
着信側中継通信部３５は、着信側データ更新部３７が使用帯域データのみを更新すると、メモリの着信要求情報を着信側無線端末５０に送信し、着信側データ更新部３７が方式変更状況データを「変更中」に更新すると、呼制御装置１０にコーデック方式の変更を指示すべく、メモリの着信要求情報に付与された符号化方式データを含む変更指示情報を呼制御装置１０に送信する（Ｓ２３）。
【０１６２】
呼制御装置１０の制御部１１は、変更指示情報を受信すると、変更指示情報を変更制御部１５に転送する。
【０１６３】
変更制御部１５は、変更指示情報を受けると、変更指示情報に含まれている符号化方式データに基づいて、記憶部１２の方式変更対応テーブルを参照し、変更対象となる使用帯域の少ない符号化データを特定すると共に、特定された符号化方式データを付与した着信要求情報を通信制御部１６に転送し、通信制御部１６は、受信した着信要求情報をアクセスポイント装置３０に送信する（Ｓ２４）。
【０１６４】
アクセスポイント装置３０の制御部３１は、着信要求情報を受信すると、受信した着信要求情報を着信側無線端末５０に送信する（Ｓ２８）。
【０１６５】
着信側無線端末５０の制御部５１は、着信要求情報を受信すると、着信要求情報に付与された符号化方式データを着信側方式設定部５５に転送する。
【０１６６】
着信側方式設定部５５は、符号化方式データを受けると、図示しないメモリに符号化方式データを一時格納すると共に、符号化方式データに基づいたコーデック方式をコーデック部５３に設定する（Ｓ２９）。
【０１６７】
制御部５１は、着信側方式設定部５５がコーデック方式をコーデック部５３に設定すると、メモリの符号化方式データを着信側通信部５４に転送する。
【０１６８】
着信側通信部５４は、符号化方式データを受けると、符号化方式データを付与した着信応答情報をアクセスポイント装置３０に送信する（Ｓ３０）。
【０１６９】
アクセスポイント装置３０の制御部３１は、着信応答情報を受信すると、着信応答情報を着信側中継通信部３５に転送し、着信側中継通信部３５は、受信した着信応答情報を呼制御装置１０に送信する（Ｓ３１）。
【０１７０】
呼制御装置１０の制御部１１は、着信応答情報を受信すると、着信応答情報を通信制御部１６に転送し、通信制御部１６は、受信した着信応答情報をアクセスポイント装置２０に送信する（Ｓ３２）。
【０１７１】
アクセスポイント装置２０の制御部２１は、着信応答情報を受信すると、受信した着信応答情報を発信側無線端末４０に送信する（Ｓ３３）。
【０１７２】
発信側無線端末４０の制御部４１は、着信応答情報を受信すると、着信応答情報に付与された符号化方式データを発信側方式設定部４５に転送する。
【０１７３】
発信側方式設定部４５は、符号化方式データを受けると、符号化方式データに基づいたコーデック方式をコーデック部４３に設定する（Ｓ３４）。以降、発信側無線端末４０は、コーデック部４３に設定されたコーデック方式により、アクセスポイント装置２０を介して着信側無線端末５０と無線通信を行うことができる。
【０１７４】
このように、アクセスポイント装置２０において、発信側帯域データが第一発信側閾値データを超える場合、発信要求情報に付与されている符号化方式データを、該符号化方式データよりも使用帯域の少ない符号化方式データに変更すると共に、アクセスポイント装置３０において、着信側帯域データが第一着信側閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式をそれぞれ設定するようにしたので、発信側無線端末４０及び着信側無線端末５０が設定されたコーデック方式を使用することで、アクセスポイント装置２０、３０を介して無線通信を行うことができる。
【０１７５】
引き続き、発信側無線端末４０が着信側無線端末５０との通信を切断すべく、アクセスポイント装置２０に対して、使用していたコーデック方式を示す符号化方式データ及び着信側無線端末５０を示す端末識別データを付与した切断要求情報を送信した場合の動作について説明を行う。
【０１７６】
図３は実施例１の無線通信システムの切断要求動作フローチャートである。
【０１７７】
アクセスポイント装置２０の制御部２１が、発信側無線端末４０から、使用していたコーデック方式を示す符号化方式データ及び着信側無線端末５０を示す端末識別データを付与した切断要求情報を受信すると（Ｓ１）、切断要求情報を図示しないメモリに一時格納すると共に、切断要求された無線端末の使用していた帯域量を除く全帯域量を示す発信側削減帯域データを取得すべく、切断要求情報を発信側帯域取得部２３に転送する。
【０１７８】
発信側帯域取得部２３は、切断要求情報を受けると、まず、切断要求情報に付与された符号化方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（３）に適用し、発信側削減帯域データを取得する（Ｓ２）。
【０１７９】
発信側更新可否判定部２６は、発信側帯域取得部２３が発信側削減帯域データを取得すると、発信側削減帯域データと記憶部２２の第二発信側閾値データとを比較し、発信側削減帯域データの示す帯域量が第二発信側閾値データの示す帯域量よりも小さいと、更新可と判定し、発信側削減帯域データの示す帯域量が第二発信側閾値データの示す帯域量よりも大きいと、更新不可と判定する（Ｓ３）。
【０１８０】
発信側データ更新部２７は、発信側更新可否判定部２６が更新不可と判定すると、メモリの切断要求情報に付与されている符号化方式データに基づいて、記憶部２２の方式帯域量対応テーブルを参照し、対応する帯域量データを特定すると共に、特定された帯域量データが示す帯域量を使用帯域データから減算して使用帯域データのみを更新し（Ｓ４）、発信側更新可否判定部２６が更新可と判定すると、上記した使用帯域データの更新を行うと共に、記憶部２２の方式変更状況データを「変更中」から「未変更」に更新する（Ｓ５）。
【０１８１】
発信側中継通信部２５は、発信側データ更新部２７が記憶部２２を更新すると、メモリの切断要求情報を呼制御装置１０に送信する（Ｓ６）。
【０１８２】
呼制御装置１０の制御部１１は、切断要求情報を受信すると、切断要求情報を装置特定部１４に転送する。
【０１８３】
装置特定部１４は、切断要求情報を受けると、付与されている端末識別データに基づいて、記憶部１２の端末装置間対応リストデータを参照し、対応する装置識別データを特定する。即ち、本実施例では、アクセスポイント装置３０を示す装置識別データが特定される（Ｓ７）。
【０１８４】
制御部１１は、装置特定部１４が装置識別データを特定すると、特定された装置識別データ及び切断要求情報を通信制御部１６に転送する。
【０１８５】
通信制御部１６は、装置識別データ及び切断要求情報を受けると、装置識別データに基づくアクセスポイント装置に対して切断要求情報を送信する。即ち、アクセスポイント装置３０に対して切断要求情報が送信される（Ｓ８）。
【０１８６】
アクセスポイント装置３０の制御部３１は、切断要求情報を受信すると（Ｓ９）、切断要求情報を図示しないメモリに一時格納すると共に、切断要求された無線端末の使用していた帯域量を除く全帯域量を示す着信側削減帯域データを取得すべく、切断要求情報を着信側帯域取得部３３に出力する。
【０１８７】
着信側帯域取得部３３は、切断要求情報を受けると、まず、切断要求情報に付与された符号化方式データに基づいて、記憶部３２の方式帯域量対応テーブルを参照し、対応する帯域量データを特定すると共に、記憶部３２から使用帯域データを取得する。そして、発信側帯域取得部２３は、特定した帯域量データ及び取得した使用帯域データを上記式（４）に適用し、着信側削減帯域データを取得する（Ｓ１０）。
【０１８８】
着信側更新可否判定部３６は、着信側帯域取得部３３が着信側削減帯域データを取得すると、まず、着信側削減帯域データと記憶部３２の第二着信側閾値データとを比較し、着信側削減帯域データの示す帯域量が第二着信側閾値データの示す帯域量よりも小さいと、更新可と判定し、着信側削減帯域データの示す帯域量が第二着信側閾値データの示す帯域量よりも大きいと、更新不可と判定する（Ｓ１１）。
【０１８９】
着信側データ更新部３７は、着信側更新可否判定部３６が更新不可と判定すると、メモリの切断要求情報に付与されている符号化方式データに基づいて、記憶部３２の方式帯域量対応テーブルを参照し、対応する帯域量データを特定すると共に、特定された帯域量データが示す帯域量を使用帯域データから減算して使用帯域データのみを更新し（Ｓ１２）、着信側更新可否判定部３６が更新可と判定すると、上記した使用帯域データを更新すると共に、記憶部３２の方式変更状況データを「変更中」から「未変更」に更新する（Ｓ１３）。
【０１９０】
着信側中継通信部３５は、着信側データ更新部３７が記憶部３２を更新すると、メモリの切断要求情報を着信側無線端末５０に送信する（Ｓ１４）。
【０１９１】
着信側無線端末５０は、制御部５１は、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信する（Ｓ１５）。
【０１９２】
アクセスポイント装置３０の制御部３１は、切断応答情報を受信すると、切断応答情報を着信側中継通信部３５に転送し、着信側中継通信部３５は、受け付けた切断応答情報を呼制御装置１０に送信する（Ｓ１６）。
【０１９３】
呼制御装置１０の制御部１１は、切断応答情報を受信すると、切断応答情報を通信制御部１６に転送し、通信制御部１６は、受け付けた切断応答情報を発信側無線端末４０に送信し（Ｓ１７）、発信側無線端末４０が切断応答情報を受信すると、発信側無線端末４０と着信側無線端末５０間における通信の切断が完了する。
【０１９４】
〈実施例１の効果〉
実施例１の無線通信システムでは、発信側無線端末４０が符号化方式データを付与した発信要求情報をアクセスポイント装置２０に送信し、発信要求情報を受信したアクセスポイント装置２０において、発信側無線端末４０を含めた通信に必要な帯域量を示す発信側帯域データが各無線端末のコーデック方式の変更をすべきか否かを判定するための基準となる帯域量を示す第一発信側閾値データを超える場合、発信要求情報に付与されている符号化方式データを、該符号化方式データよりも使用帯域の少ない符号化方式データに変更すると共に、着信要求情報を受信したアクセスポイント装置３０において、発信側無線端末４０を含めた通信に必要な帯域量を示す着信側帯域データが各無線端末のコーデック方式の変更をすべきか否かを判定するための基準となる帯域量を示す第一着信側閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式を設定するようにしたので、発信側無線端末４０及び着信側無線端末５０が、設定されたコーデック方式を使用することで、発信要求時に、要求先のアクセスポイント装置２０、３０が帯域量に応じて決定される許容数の無線端末６０と無線通信している場合であっても、アクセスポイント装置２０、３０を介した無線通信を行うことができる利便性の高い無線通信システムを提供することができる。
【実施例２】
【０１９５】
〈実施例２の構成〉
図４は、実施例２の無線通信システムを示すブロック構成図である。
【０１９６】
本実施例の無線通信システムは、アクセスポイント装置９０、１００、発信側無線端末４０、着信側無線端末５０、複数の無線端末６０、ネットワーク８０から構成されている。
【０１９７】
発信側無線端末４０、着信側無線端末５０、複数の無線端末６０、ネットワーク８０は、実施例１と同様である。
【０１９８】
アクセスポイント装置９０は、各無線端末間を中継する装置であり、制御部９１、発信側帯域取得部２３、発信側通信可否判定部２４、発信側更新可否判定部２６、発信側データ更新部２７、記憶部９２、発信側変更要否判定部９３、装置特定部９４、発信側変更制御部９５、発信側通信制御部９６を有している。
【０１９９】
記憶部９２は、ＨＤＤ等からなるメモリであり、装置識別データ、第一発信側閾値データ、第二発信側閾値データ、方式変更状況データ、使用帯域データ、方式帯域量対応テーブル、方式変更対応テーブル、端末装置間対応リストデータがそれぞれ格納されている。
【０２００】
装置識別データ、第一発信側閾値データ、第二発信側閾値データ、方式変更状況データ、使用帯域データ、方式帯域量対応テーブル、方式変更対応テーブル、端末装置間対応リストデータは、実施例１と同様のデータである。
【０２０１】
このアクセスポイント装置９０は、アクセスポイント装置１００から、アクセスポイント装置１００が無線通信管理する各無線端末の端末識別データおよび装置識別データを受信する毎に、受信した各無線端末の端末識別データおよび装置識別データに基づいて、端末装置間対応リストデータを更新する。これにより、アクセスポイント装置９０は、着信側無線端末５０がアクセスポイント装置１００を介して無線通信可能であることを特定することができる。
【０２０２】
アクセスポイント装置１００は、各無線端末間を中継する装置であり、制御部１０１、着信側帯域取得部３３、着信側通信可否判定部３４、着信側更新可否判定部３６、着信側データ更新部３７、記憶部１０２、着信側変更要否判定部１０３、着信側通信制御部１０５を有している。
【０２０３】
記憶部１０２は、ＨＤＤ等からなるメモリであり、装置識別データ、第一着信側閾値データ、第二着信側閾値データ、方式変更状況データ、使用帯域データ、方式帯域量対応テーブル、方式変更対応テーブルがそれぞれ格納されている。
【０２０４】
装置識別データ、第一着信側閾値データ、第二着信側閾値データ、方式変更状況データ、使用帯域データ、方式帯域量対応テーブル、方式変更対応テーブルは、実施例１と同様のデータである。
【０２０５】
以下、本実施例におけるアクセスポイント装置９０、１００、発信側無線端末４０、着信側無線端末５０、無線端末６０の相互関連について説明を行う。
【０２０６】
まず、発信側無線端末４０が着信側無線端末５０と無線通信すべく、アクセスポイント装置９０に対して、使用していたコーデック方式を示す符号化方式データ及び着信側無線端末５０を示す端末識別データを付与した発信要求情報を送信した場合について説明を行う。
【０２０７】
アクセスポイント装置９０の制御部９１は、いわゆるＣＰＵとして、アクセスポイント装置９０を制御する部であり、発信側無線端末４０から発信要求情報を受信すると、実施例１と同様に動作し、引き続き、発信要求情報を発信側変更要否判定部９３に転送する。
【０２０８】
発信側変更要否判定部９３は、各無線端末に設定されているコーデック方式の変更が必要か否かを判定する部であり、受信した発信要求情報に変更指示データが付与されていると、コーデック方式の変更要と判定し、付与されていないと、変更不要と判定する。
【０２０９】
制御部９１は、発信側変更要否判定部９３がコーデック方式の変更不要と判定すると、発信要求情報を装置特定部９４に転送し、変更要と判定すると、発信要求情報を発信側変更制御部９５に転送する。
【０２１０】
発信側変更制御部９５は、符号化方式データの変更を行う部であり、発信要求情報を受けると、発信要求情報に付与されている符号化方式データに基づいて、記憶部９２の方式変更対応テーブルを参照し、変更対象となる使用帯域の少ない符号化データを特定すると共に、特定された符号化方式データを発信要求情報に付与する。
【０２１１】
即ち、例えば、メモリの発信要求情報にＧ．７１１（＝６４ｋ）を示す符号化方式データが付与されていると、発信側変更制御部９５は、符号化方式データ（Ｇ．７１１（＝６４ｋ））に基づいて、記憶部９２の方式変更対応テーブルを参照し、使用帯域の少ないＧ．７２９（＝８ｋ）を示す符号化方式データを特定すると共に、特定したＧ．７２９（＝８ｋ）を示す符号化方式データを付与する。
【０２１２】
制御部９１は、発信側変更制御部９５が符号化方式データの変更を完了すると、該符号化方式データが付与された発信要求情報を装置特定部９４に転送する。
【０２１３】
装置特定部９４は、発信要求先の無線端末を通信可能に管理しているアクセスポイント装置を特定する部であり、発信要求情報を受けると、発信要求情報に付与された端末識別データに基づいて、記憶部９２の端末装置間対応リストデータを参照し、対応する装置識別データを特定する。
【０２１４】
本実施例では、着信側無線端末５０を示す端末識別データが付与された発信要求情報を受信することから、アクセスポイント装置１００を示す装置識別データが特定される。
【０２１５】
制御部９１は、装置特定部９４が装置識別データを特定すると、特定された装置識別データ及び発信要求情報に付与されている符号化方式データを発信側通信制御部９６に転送する。
【０２１６】
発信側通信制御部９６は、各無線端末間の通信を制御する部であり、装置識別データ及び符号化方式データを受けると、装置識別データに基づくアクセスポイント装置に対し、該符号化方式データを付与した着信要求情報を送信する。本実施例では、発信側通信制御部９６により符号化方式データが付与された着信要求情報がアクセスポイント装置１００に送信される。
【０２１７】
アクセスポイント装置１００の制御部１０１は、いわゆるＣＰＵとして、アクセスポイント装置１００を統括制御する部であり、着信要求情報を受信すると、実施例１と同様に動作し、引き続き、着信要求情報を着信側変更要否判定部１０３に転送する。
【０２１８】
着信側変更要否判定部１０３は、各無線端末に設定されているコーデック方式の変更が必要か否かを判定する部であり、受信した着信要求情報に変更指示データが付与されていると、コーデック方式の変更要と判定し、付与されていないと、変更不要と判定する。
【０２１９】
制御部１０１は、着信側変更要否判定部１０３がコーデック方式の変更不要と判定すると、着信要求情報を着信側通信制御部１０５に転送し、変更要と判定すると、着信要求情報に付与された符号化方式データを含む変更指示情報を着信側変更制御部１０４に転送する。
【０２２０】
着信側変更制御部１０４は、符号化方式データの変更を行う部であり、変更指示情報を受けると、変更指示情報に付与されている符号化方式データに基づいて、記憶部１０２の方式変更対応テーブルを参照し、変更対象となる使用帯域の少ない符号化データを特定すると共に、特定された符号化方式データを付与した着信要求情報を着信側通信制御部１０５に転送する。
【０２２１】
着信側通信制御部１０５は、着信要求情報を受けると、着信要求情報を着信側無線端末５０に送信する。
【０２２２】
着信側無線端末５０は、着信要求情報を受信すると、実施例１と同様に動作し、引き続き、設定した符号化方式データを付与した着信応答情報をアクセスポイント装置１００に送信する。
【０２２３】
アクセスポイント装置１００の制御部１０１は、着信応答情報を受信すると、着信応答情報を着信側通信制御部１０５に転送し、着信側通信制御部１０５は、受信した着信応答情報をアクセスポイント装置９０に送信する。
【０２２４】
アクセスポイント装置９０の制御部９１は、着信応答情報を受信すると、受信した着信応答情報を発信側無線端末４０に送信する。
【０２２５】
発信側無線端末４０の制御部４１は、着信応答情報を受信すると、実施例１と同様に動作し、着信応答情報に付与された符号化方式データに基づいて、コーデック方式をコーデック部４３に設定する。以降、発信側無線端末４０は、コーデック部４３に設定されたコーデック方式により、アクセスポイント装置９０を介して着信側無線端末５０と無線通信を行うことができる。
【０２２６】
このように、アクセスポイント装置９０において、帯域データが第一閾値データを超える場合、発信要求情報に付与されている符号化方式データを、該符号化方式データよりも使用帯域の少ない符号化方式データに変更すると共に、アクセスポイント装置１００において、帯域データが第一閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式をそれぞれ設定するようにしたので、発信側無線端末４０及び着信側無線端末５０が設定されたコーデック方式を使用することでアクセスポイント装置９０、１００を介して無線通信を行うことができる。
【０２２７】
引き続き、発信側無線端末４０が着信側無線端末５０との通信を切断すべく、アクセスポイント装置９０に対して、使用していたコーデック方式を示す符号化方式データ及び着信側無線端末５０を示す端末識別データを付与した切断要求情報を送信した場合について説明を行う。
【０２２８】
アクセスポイント装置９０の制御部９１が、発信側無線端末４０から、使用していたコーデック方式を示す符号化方式データ及び着信側無線端末５０を示す端末識別データを付与した切断要求情報を受信すると、実施例１と同様に動作し、引き続き、メモリの切断要求情報を装置特定部９４に転送する。
【０２２９】
装置特定部９４は、切断要求情報を受けると、切断要求情報に付与された端末識別データに基づいて、記憶部９２の端末装置間対応リストデータを参照し、対応する装置識別データを特定する。
【０２３０】
本実施例では、着信側無線端末５０を示す端末識別データが付与された切断要求情報を受信することから、アクセスポイント装置１００を示す装置識別データが特定される。
【０２３１】
制御部９１は、装置特定部９４が装置識別データを特定すると、特定された装置識別データ及び切断要求情報を発信側通信制御部９６に転送する。
【０２３２】
発信側通信制御部９６は、装置識別データ及び切断要求情報を受けると、装置識別データに基づくアクセスポイント装置に対し、切断要求情報を送信する。本実施例では、発信側通信制御部９６により、切断要求情報がアクセスポイント装置１００に送信される。
【０２３３】
アクセスポイント装置１００の制御部１０１は、切断要求情報を受信すると、実施例１と同様に動作し、引き続き、切断要求情報を着信側無線端末５０に送信する。
【０２３４】
着信側無線端末５０は、制御部５１は、切断要求情報を受信すると、実施例１と同様に動作し、切断応答情報をアクセスポイント装置１００に送信する。
【０２３５】
アクセスポイント装置１００の制御部１０１は、切断応答情報を受信すると、切断応答情報を着信側通信制御部１０５に転送し、着信側通信制御部１０５は、受け付けた切断応答情報をアクセスポイント装置９０に送信する。
【０２３６】
アクセスポイント装置９０の制御部９１は、切断応答情報を受信すると、切断応答情報を発信側通信制御部９６に転送し、発信側通信制御部９６は、受け付けた切断応答情報を発信側無線端末４０に送信し、発信側無線端末４０が切断応答情報を受信すると、発信側無線端末４０と着信側無線端末５０間における通信の切断が完了する。
【０２３７】
〈実施例２の動作〉
以下、実施例２の無線通信システムの動作について説明を行う。
【０２３８】
まず、発信側無線端末４０が着信側無線端末５０と無線通信すべく、アクセスポイント装置９０に対して、使用していたコーデック方式を示す符号化方式データ及び着信側無線端末５０を示す端末識別データを付与した発信要求情報を送信した場合に、発信側無線端末４０、着信側無線端末５０に対するコーデック方式が変更されるまでについて説明を行う。
【０２３９】
図５は、実施例２の無線通信システムにおける発信側無線端末４０、着信側無線端末５０に対するコーデック方式の変更動作フローチャートである。
【０２４０】
アクセスポイント装置９０の制御部９１は、発信側無線端末４０から発信要求情報を受信すると、実施例１と同様に動作し、引き続き、発信要求情報を発信側変更要否判定部９３に転送する。
【０２４１】
発信側変更要否判定部９３は、受信した発信要求情報に変更指示データが付与されていると、コーデック方式の変更要と判定し、付与されていないと、変更不要と判定する（Ｓ１２）。
【０２４２】
制御部９１は、発信側変更要否判定部９３がコーデック方式の変更不要と判定すると、発信要求情報を装置特定部９４に転送し（Ｓ１３）、変更要と判定すると、発信要求情報を発信側変更制御部９５に転送する（Ｓ１４）。
【０２４３】
発信側変更制御部９５は、発信要求情報を受けると、発信要求情報に付与されている符号化方式データに基づいて、記憶部９２の方式変更対応テーブルを参照し、変更対象となる使用帯域の少ない符号化データを特定すると共に、特定された符号化方式データを発信要求情報に付与する（Ｓ１５）。
【０２４４】
即ち、例えば、メモリの発信要求情報にＧ．７１１（＝６４ｋ）を示す符号化方式データが付与されていると、発信側変更制御部９５は、符号化方式データ（Ｇ．７１１（＝６４ｋ））に基づいて、記憶部９２の方式変更対応テーブルを参照し、使用帯域の少ないＧ．７２９（＝８ｋ）を示す符号化方式データを特定すると共に、特定したＧ．７２９（＝８ｋ）を示す符号化方式データを付与する。
【０２４５】
制御部９１は、発信側変更制御部９５が符号化方式データの変更を完了すると、該符号化方式データが付与された発信要求情報を装置特定部９４に転送する。
【０２４６】
装置特定部９４は、発信要求情報を受けると、発信要求情報に付与された端末識別データに基づいて、記憶部９２の端末装置間対応リストデータを参照し、対応する装置識別データを特定する（Ｓ１６）。
【０２４７】
本実施例では、着信側無線端末５０を示す端末識別データが付与された発信要求情報を受信することから、アクセスポイント装置１００を示す装置識別データが特定される。
【０２４８】
制御部９１は、装置特定部９４が装置識別データを特定すると、特定された装置識別データ及び発信要求情報に付与されている符号化方式データを発信側通信制御部９６に転送する。
【０２４９】
発信側通信制御部９６は、装置識別データ及び符号化方式データを受けると、装置識別データに基づくアクセスポイント装置に対し、該符号化方式データを付与した着信要求情報を送信する（Ｓ１７）。本実施例では、発信側通信制御部９６により符号化方式データが付与された着信要求情報がアクセスポイント装置１００に送信される。
【０２５０】
アクセスポイント装置１００の制御部１０１は、着信要求情報を受信すると、実施例１と同様に動作し、引き続き、着信要求情報を着信側変更要否判定部１０３に転送する。
【０２５１】
着信側変更要否判定部１０３は、受信した着信要求情報に変更指示データが付与されていると、コーデック方式の変更要と判定し、付与されていないと、変更不要と判定する（Ｓ２８）。
【０２５２】
制御部１０１は、着信側変更要否判定部１０３がコーデック方式の変更不要と判定すると、着信要求情報を着信側通信制御部１０５に転送し、変更要と判定すると、着信要求情報に付与された符号化方式データを含む変更指示情報を着信側変更制御部１０４に転送する。
【０２５３】
着信側変更制御部１０４は、変更指示情報を受けると、変更指示情報に付与されている符号化方式データに基づいて、記憶部１０２の方式変更対応テーブルを参照し、変更対象となる使用帯域の少ない符号化データを特定すると共に、特定された符号化方式データを付与した着信要求情報を着信側通信制御部１０５に転送する（Ｓ２９）。
【０２５４】
着信側通信制御部１０５は、着信要求情報を受けると、着信要求情報を着信側無線端末５０に送信する（Ｓ３０）。
【０２５５】
着信側無線端末５０は、着信要求情報を受信すると、実施例１と同様に動作し、引き続き、設定した符号化方式データを付与した着信応答情報をアクセスポイント装置１００に送信する（Ｓ３２）。
【０２５６】
アクセスポイント装置１００の制御部１０１は、着信応答情報を受信すると、着信応答情報を着信側通信制御部１０５に転送し、着信側通信制御部１０５は、受信した着信応答情報をアクセスポイント装置９０に送信する（Ｓ３３）。
【０２５７】
アクセスポイント装置９０の制御部９１は、着信応答情報を受信すると、受信した着信応答情報を発信側無線端末４０に送信する（Ｓ３４）。
【０２５８】
発信側無線端末４０の制御部４１は、着信応答情報を受信すると、実施例１と同様に動作し、着信応答情報に付与された符号化方式データに基づいて、コーデック方式をコーデック部４３に設定する（Ｓ３５）。以降、発信側無線端末４０は、コーデック部４３に設定されたコーデック方式により、アクセスポイント装置９０を介して着信側無線端末５０と無線通信を行うことができる。
【０２５９】
このように、アクセスポイント装置９０において、発信側帯域データが第一発信側閾値データを超える場合、発信要求情報に付与されている符号化方式データを、該符号化方式データよりも使用帯域の少ない符号化方式データに変更すると共に、アクセスポイント装置１００において、着信側帯域データが第一着信側閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式をそれぞれ設定するようにしたので、発信側無線端末４０及び着信側無線端末５０が設定されたコーデック方式を使用することで、アクセスポイント装置９０、１００を介して無線通信を行うことができる。
【０２６０】
引き続き、発信側無線端末４０が着信側無線端末５０との通信を切断すべく、アクセスポイント装置９０に対して、使用していたコーデック方式を示す符号化方式データ及び着信側無線端末５０を示す端末識別データを付与した切断要求情報を送信した場合について説明を行う。
【０２６１】
図６は、実施例２の無線通信システムの切断要求動作フローチャートである。
【０２６２】
アクセスポイント装置９０の制御部９１が、発信側無線端末４０から、使用していたコーデック方式を示す符号化方式データ及び着信側無線端末５０を示す端末識別データを付与した切断要求情報を受信すると（Ｓ１）、実施例１と同様に動作し、引き続き、メモリの切断要求情報を装置特定部９４に転送する。
【０２６３】
装置特定部９４は、切断要求情報を受けると、切断要求情報に付与された端末識別データに基づいて、記憶部９２の端末装置間対応リストデータを参照し、対応する装置識別データを特定する（Ｓ６）。
【０２６４】
本実施例では、着信側無線端末５０を示す端末識別データが付与された切断要求情報を受信することから、アクセスポイント装置１００を示す装置識別データが特定される。
【０２６５】
制御部９１は、装置特定部９４が装置識別データを特定すると、特定された装置識別データ及び切断要求情報を発信側通信制御部９６に転送する。
【０２６６】
発信側通信制御部９６は、装置識別データ及び切断要求情報を受けると、装置識別データに基づくアクセスポイント装置に対し、切断要求情報を送信する（Ｓ７）。本実施例では、発信側通信制御部９６により、切断要求情報がアクセスポイント装置１００に送信される。
【０２６７】
アクセスポイント装置１００の制御部１０１は、切断要求情報を受信すると、実施例１と同様に動作し、引き続き、切断要求情報を着信側無線端末５０に送信する（Ｓ１３）。
【０２６８】
着信側無線端末５０は、制御部５１は、切断要求情報を受信すると、実施例１と同様に動作し、切断応答情報をアクセスポイント装置１００に送信する（Ｓ１４）。
【０２６９】
アクセスポイント装置１００の制御部１０１は、切断応答情報を受信すると、切断応答情報を着信側通信制御部１０５に転送し、着信側通信制御部１０５は、受け付けた切断応答情報をアクセスポイント装置９０に送信する（Ｓ１５）。
【０２７０】
アクセスポイント装置９０の制御部９１は、切断応答情報を受信すると、切断応答情報を発信側通信制御部９６に転送し、発信側通信制御部９６は、受け付けた切断応答情報を発信側無線端末４０に送信し（Ｓ１６）、発信側無線端末４０が切断応答情報を受信すると、発信側無線端末４０と着信側無線端末５０間における通信の切断が完了する。
【０２７１】
〈実施例２の効果〉
実施例２の無線通信システムでは、発信側無線端末４０が符号化方式データを付与した発信要求情報をアクセスポイント装置９０に送信し、発信要求情報を受信したアクセスポイント装置９０において、発信側無線端末４０を含めた通信に必要な帯域量を示す発信側帯域データが各無線端末のコーデック方式の変更をすべきか否かを判定するための基準となる帯域量を示す第一発信側閾値データを超える場合、発信要求情報に付与されている符号化方式データを、該符号化方式データよりも使用帯域の少ない符号化方式データに変更すると共に、着信要求情報を受信したアクセスポイント装置１００において、発信側無線端末４０を含めた通信に必要な帯域量を示す着信側帯域データが各無線端末のコーデック方式の変更をすべきか否かを判定するための基準となる帯域量を示す第一着信側閾値データを超える場合、着信要求情報に付与されている符号化方式データを、該符号化方式データよりも使用帯域の少ない符号化方式データに変更し、かつ発信側無線端末４０及び着信側無線端末５０のコーデック部４３、５３に対し、変更された符号化方式データが示すコーデック方式をそれぞれ設定するようにしたので、発信側無線端末４０及び着信側無線端末５０は、設定されたコーデック方式を使用することで、発信要求時に、要求先のアクセスポイント装置９０、１００が帯域量に応じて決定される許容数の無線端末６０と無線通信している場合であっても、アクセスポイント装置９０、１００を介した無線通信を行うことができる利便性の高い無線通信システムを提供することができる。
【０２７２】
また、アクセスポイント装置９０に発信側変更要否判定部９３、装置特定部９４、発信側変更制御部９５、発信側通信制御部９６を設け、アクセスポイント装置１００に、着信側変更要否判定部１０３、着信側変更制御部１０４、着信側通信制御部１０５をそれぞれ設けるようにしたので呼制御装置１０が不要となった。
【産業上の利用可能性】
【０２７３】
上記実施例では、符号化方式データの変更例として、Ｇ．７１１（＝６４ｋ）からＧ．７２９（＝８ｋ）への変更について説明を行ったが、これに限られることはなく、入力された符号化方式データが示すコーデック方式より使用する通信帯域が少ないコーデック方式に変更する構成であれば、例えば、Ｇ．７２３．１（＝６．３ｋ）、Ｇ．７２６（＝２４ｋ）、Ｇ．７２６（＝１４ｋ）等のどのようなコーデック方式に変更してもよい。
【図面の簡単な説明】
【０２７４】
【図１】本発明の無線通信システムを示すブロック構成図
【図２】実施例１の無線通信システムにおける発信側無線端末４０、着信側無線端末５０に対するコーデック方式の変更動作フローチャート
【図３】実施例１の無線通信システムの切断要求動作フローチャート
【図４】実施例２の無線通信システムを示すブロック構成図
【図５】実施例２の無線通信システムにおける発信側無線端末４０、着信側無線端末５０に対するコーデック方式の変更動作フローチャート
【図６】実施例２の無線通信システムの切断要求動作フローチャート
【符号の説明】
【０２７５】
１０  呼制御装置
１１  制御部
１２  記憶部
１３  変更要否判定部
１４  装置特定部
１５  変更制御部
１６  通信制御部
２０  アクセスポイント装置
２１  制御部
２２  記憶部
２３  発信側帯域取得部
２４  発信側通信可否判定部
２５  発信側中継通信部
２６  発信側更新可否判定部
２７  発信側データ更新部
３０  アクセスポイント装置
３１  制御部
３２  記憶部
３３  着信側帯域取得部
３４  着信側信可否判定部
３５  着信側中継通信部
３６  着信側更新可否判定部
３７  着信側データ更新部
４０  発信側無線端末
４１  制御部
４２  記憶部
４３  コーデック部
４４  発信側通信部
４５  発信側方式設定部
５０  着信側無線端末
５１  制御部
５２  記憶部
５３  コーデック部
５４  着信側通信部
５５  着信側方式設定部
６０  無線端末
８０  ネットワーク
９０  アクセスポイント装置
９１  制御部
９２  記憶部
９３  発信側変更要否判定部
９４  装置特定部
９５  発信側変更制御部
９６  発信側通信制御部
１００  アクセスポイント装置
１０１  制御部
１０２  記憶部
１０３  着信側変更要否判定部
１０４  着信側変更制御部
１０５  着信側通信制御部
【図１】
2007214811.tif 000003
【図２】
2007214811.tif 000004
【図３】
2007214811.tif 000005
【図４】
2007214811.tif 000006
【図５】
2007214811.tif 000007
【図６】
2007214811.tif 000008